(57)【要約】  外用塗布および／または身体装着される消費商品についての商品コードと、当該の商品推奨を示すか商品推奨が導出されうるデータとを記憶するように構成されるメモリと、商品から商品コードを読み取るための商品コード読取器と、デバイスの装着者についての動作データを取得するための一以上の慣性センサと、読み取られた商品コードを受けて、メモリに記憶されたデータを使用して商品推奨の視覚的指示を提供するための視覚的指示器とを包含する装着用デバイス。装着用デバイスはさらに、動作データを処理して、装着者が着座位置または他の不活発状態にある期間を特定し、期間の発生および持続時間を分析し、商品コードの少なくとも部分集合についての推奨を適宜調整することにより、特定された期間に応じて商品推奨が変化するように構成されるプロセッサを包含する。
2022500758.tif 000002
【特許請求の範囲】
【請求項１】
装着用デバイスであって、
外用塗布および／または身体装着される消費商品のための商品コードと、当該の商品推奨を示すか商品推奨が導出されうるデータとを記憶するように構成されるメモリと、
商品から商品コードを読み取るための商品コード読取器と、
デバイスの装着者についての動作データを取得するための一以上の慣性センサと、
読み取られた商品コードを受けて、前記メモリに記憶されたデータを使用して商品推奨についての視覚的指示を提供するための視覚的指示器と、
前記装着者が着座位置または他の不活発状態にある期間を特定するように前記動作データを処理し、前記期間の発生および持続時間を分析し、前記商品コードの少なくとも部分集合について前記推奨を適宜調整するように構成される一以上のプロセッサであって、前記特定された期間に応じて前記商品推奨が変化する、一以上のプロセッサと、
を包含する装着用デバイス。
【請求項２】
同一の日など所定の期間にわたって前記プロセッサにより判断される前記装着者の行動に従って前記推奨を調整するように前記一以上のプロセッサが構成される、請求項１に記載の装着用デバイス。
【請求項３】
１０分、３０分、または６０分など、閾値期間より長い期間にわたって前記装着者が着座位置または他の不活発状態にある時に期間のカウントを特定および維持するように前記一以上のプロセッサが構成される、請求項１または２に記載の装着用デバイス。
【請求項４】
前記期間を特定する時に所定時間未満にわたって前記ユーザが着座位置または他の不活発状態にない中断を無視するように前記一以上のプロセッサが構成される、請求項１から３のいずれか一項に記載の装着用デバイス。
【請求項５】
前記メモリが各商品についての栄養データを記憶し、前記栄養データに基づいて前記商品コードの部分集合を選択するように前記プロセッサが構成される、請求項１から４のいずれか一項に記載の装着用デバイス。
【請求項６】
各商品推奨が第１推奨状態と第２非推奨状態とを有して、前記調整が前記第１および第２状態の間で前記商品推奨を変化させる、請求項１から５のいずれか一項に記載の装着用デバイス。
【請求項７】
前記商品推奨が第１推奨状態と第２「準推奨」状態と第３非推奨状態とを有し、前記調整が前記第１および第２状態の間で前記商品推奨を変化させる、請求項１から５のいずれか一項に記載の装着用デバイス。
【請求項８】
装着用デバイスが手首装着の装着用デバイスである、請求項１から７のいずれか一項に記載の装着用デバイス。
【請求項９】
前記一以上の慣性センサが加速度計および／またはジャイロスコープを包含する、請求項１から８のいずれか一項に記載の装着用デバイス。
【請求項１０】
前記商品コード読取器が一次元又は二次元のバーコードを読み取るためのものである、請求項１から９のいずれか一項に記載の装着用デバイス。
【請求項１１】
前記視覚的指示器が、異なる色の点灯、例えば赤と緑または赤と緑と黄によって前記商品推奨の前記指示を提供する、請求項１から１０のいずれか一項に記載の装着用デバイス。
【請求項１２】
前記ユーザの前記行動に基づいて、当該の商品推奨が調整される商品コードを前記商品コードの少なくとも部分集合から選択するように前記一以上のプロセッサが構成されて、前記または別の視覚的指示器が、別の視覚的指示を提供するように前記一以上のプロセッサにより制御可能であり、前記別の視覚的指示が、選択された前記商品コードの数に依存する、請求項１から１１のいずれか一項に記載の装着用デバイス。
【請求項１３】
装着用デバイスの装着者の健康を向上させるため消費商品についての推奨を前記装着者に提供する方法であって、
商品についての商品コードと当該の商品推奨を示すか商品推奨が導出されうるデータとを前記装着用デバイスのメモリに記憶することと、
前記装着者の動作データを前記装着用デバイスの一以上の慣性センサ―から取得することと、
前記装着用デバイスのプロセッサを使用して前記動作データを処理し、前記装着者が着座位置または他の不活発状態にある期間を特定することと、
前記プロセッサを使用して前記期間の発生および持続時間を分析することと、
前記装着用デバイスの商品コード読取器を使用して前記商品から商品コードを読み取ることと、
読み取られた前記商品コードを受けて、前記メモリに記憶されたデータを使用して商品推奨を取得することと、
前記プロセッサにより判断された前記装着者の着座行動または他の不活発行動に応じて前記商品推奨を調整することと、
前記装着用デバイスの視覚的指示器を使用して、調整された前記商品推奨の視覚的指示を提供することと、
を包含する方法。
【請求項１４】
関連の商品推奨が調整される商品コードの部分集合を選択することをさらに包含する、請求項１３に記載の方法。
【請求項１５】
前記商品推奨が調整される前記商品コードの部分集合の選択が、前記関連の商品についての栄養情報に基づいて商品コードを選択することを包含する、請求項１４に記載の方法。
【請求項１６】
前記関連の商品についての栄養情報に基づく商品コードの選択が、各商品の当該の栄養情報に基づいて前記商品を順位付けすることと、所定の順位より高い順位を有する商品を選択することにより前記部分集合を選択することとを包含する、請求項１５に記載の方法。
【請求項１７】
前記栄養情報が、カロリー含有量、糖分含有量、炭水化物含有量、飽和および／または不飽和脂肪含有量、および塩分含有量のうち一以上を包含する、請求項１５または１６に記載の方法。
【請求項１８】
前記デバイスの前記装着者により提供される生物学的サンプルの分析から取得される個人別生物学的情報から導出される個人別データから前記データが導出される、請求項１３から１７のいずれか一項に記載の方法。
【請求項１９】
ユーザの健康に資するため消費商品についての商品推奨を提供する方法であって、
前記ユーザの一以上の健康形質を特定することと、
外用塗布および／または身体装着される多数の消費商品の各々について、前記商品が前記健康形質の各々にどのように影響するかを示すスコアを算出することであって、各スコアが前記商品の栄養情報に少なくとも部分的に基づくことと、
前記スコアに基づいて各商品に商品推奨を割り当てることと、
前記ユーザが着座位置または他の不活発状態にある期間を特定することにより前記ユーザの行動を監視することと、
前記ユーザの前記行動に基づいて、前記商品の少なくとも部分集合についての前記商品推奨を調整することと、
視覚的指示器を介して、調整された前記商品推奨を前記ユーザに提供することと、
を包含する方法。
【請求項２０】
各商品についての前記商品推奨が、装着用デバイスのメモリにインストールされたデータベースに記憶され、前記メモリがさらに、前記商品が前記部分集合に属するかどうかを示すデータを記憶する、請求項１９に記載の方法。
【請求項２１】
前記ユーザが着座位置または他の不活発位置にある期間を特定するための一以上の慣性センサを前記装着用デバイスが包含する、請求項２０に記載の方法。
【請求項２２】
ユーザの環境および／または生活様式により引き起こされる負の影響について前記ユーザに警告するための監視システムであって、
外用塗布および／または身体装着される消費商品についての商品コードと、当該の商品推奨を示すか当該の商品推奨が導出されうるデータとを記憶するメモリと、
一以上のプロセッサであって、
前記ユーザの一以上の生理学的および／または生化学的機能を示すかユーザ環境を示すデータを使用して前記ユーザの行動を監視し、一以上のユーザ装着センサを使用して前記データが取得され、
前記ユーザの前記行動に基づいて、前記当該の商品推奨が調整される商品コードを前記商品コードの少なくとも部分集合から選択する、
ように構成される一以上のプロセッサと、
前記一以上のプロセッサにより制御可能であって、選択された前記商品コードの数に応じて視覚的指示を提供する視覚的指示器と、
を包含する監視システム。
【請求項２３】
不活発行動の負の影響についてユーザに警告するための監視システムであって、
外用塗布および／または身体装着される消費商品についての商品コードと、当該の商品推奨を示すか当該の商品推奨が導出されうるデータとを記憶するメモリと、
一以上のプロセッサであって、
前記ユーザにより装着される一以上の慣性センサから取得される動作データを使用して前記ユーザの行動を監視して、前記ユーザが着座位置または他の不活発状態である期間を特定し、
前記ユーザの行動に基づいて、前記当該の商品推奨が調整される商品コードを前記商品コードの少なくとも部分集合から選択する、
ように構成される一以上のプロセッサと、
前記一以上のプロセッサにより制御可能であって、選択された前記商品コードの数に応じて視覚的指示を提供する視覚的指示器と、
を包含する監視システム。
【請求項２４】
前記ユーザが閾値時間量より長時間にわたって不活発状態にある期間の数のカウントを判断するとともに、前記カウントが増加する時に、選択された前記商品コードの数を増加させるように前記一以上のプロセッサが構成される、請求項２３に記載の監視システム。
【請求項２５】
前記カウントが増加する際に、選択される前記商品コードの数を連続増加量ずつ増加させるように前記一以上のプロセッサが構成される、請求項２４に記載の監視システム。
【請求項２６】
受理された動作データを使用して、前記ユーザにより実施される身体活動の量を判断するとともに、前記ユーザにより実施される身体活動の量に基づいて周期数のカウントを減少させるように前記一以上のプロセッサが構成される、請求項２４または２５に記載の監視システム。
【請求項２７】
前記ユーザが歩いた歩数を前記動作データから判断するように前記一以上のプロセッサが構成される、請求項２６に記載の監視システム。
【請求項２８】
前記カウントが既定のリミットを超えた場合のみ商品推奨に調整を適用するように前記一以上のプロセッサが構成される、請求項２４から２７のいずれか一項に記載の監視システム。
【請求項２９】
ユーザ入力を受理するためのユーザインタフェースを包含し、前記ユーザ入力に基づいて前記リミットを調節するように前記プロセッサが構成される、請求項２８に記載の監視システム。
【請求項３０】
各商品推奨が第１推奨状態と第２非推奨状態とを有し、前記調整が前記第１および第２状態の間で前記商品推奨を変化させる、請求項２３から２９のいずれか一項に記載の監視システム。
【請求項３１】
各商品推奨が、第１推奨状態と第２「準推奨」状態と第３非推奨状態とを有し、前記調整が前記第１および第２状態の間で前記商品推奨を変化させる、請求項２３から２９のいずれか一項に記載の監視システム。
【請求項３２】
選択された前記商品コードの数又は比率を表現する長さまたは面積を有するグラフィック要素を表示するように前記視覚的指示器が構成される、請求項２３から３１のいずれか一項に記載の監視システム。
【請求項３３】
前記商品コードを受理し、前記商品コードと関連する前記消費商品についての商品推奨を検索または導出し、前記商品コードが、選択された前記商品コードの一つである場合および場合のみ前記商品推奨を調整するように構成されるシステムである、請求項２３から３２のいずれか一項に記載の監視システム。
【請求項３４】
商品から前記商品コードを読み取るための商品コード読取器を包含する、請求項３３に記載の監視システム。
【請求項３５】
前記関連の商品についての栄養情報に少なくとも部分的に基づいて前記当該の商品推奨が調整される前記商品コードを選択するように前記プロセッサが構成される、請求項２３から３４のいずれか一項に記載の監視システム。
【請求項３６】
各商品についての当該の栄養情報に基づいて前記商品を順位付けし、所定の順位より高い順位を有する商品を選択することにより前記商品コードを選択するように前記一以上のプロセッサが構成される、請求項２３から３５のいずれか一項に記載の監視システム。
【請求項３７】
前記栄養情報が、カロリー含有量、糖分含有量、炭水化物含有量、飽和および／または不飽和脂肪含有量、そして塩分含有量のうち一以上を包含する、請求項３６に記載の監視システム。
【請求項３８】
前記ユーザにより提供された生物学的サンプルの分析から取得される個人別生理学的情報から前記データが導出される、請求項２３から３７のいずれか一項に記載の監視システム。
【請求項３９】
前記視覚的指示器が、スマートフォンまたはスマートウォッチなどのパーソナルコンピューティングデバイスのディスプレイである、請求項２３から３８のいずれか一項に記載の監視システム。
【請求項４０】
不活発行動の負の影響についてユーザに警告するための装着用監視デバイスであって、
外用塗布および／または身体装着される消費商品についての商品コードと、当該の商品推奨を示すか当該の商品推奨が導出されうるデータとを記憶するメモリと、
デバイスの装着者についての動作データを取得するための一以上の慣性センサと、
一以上のプロセッサであって、
前記動作データを使用することにより前記ユーザの行動を監視して、前記ユーザが着座位置または他の不活発状態にある期間を特定し、
前記ユーザの行動に基づいて、前記当該の商品推奨が調整される商品コードを前記商品コードの少なくとも部分集合から選択し、
前記一以上のプロセッサにより制御可能であって、選択された前記商品コードの数に応じて視覚的指示を提供する、
ように構成される一以上のプロセッサと、
を包含する装着用監視デバイス。
【請求項４１】
不活発行動の結果についてユーザに警告するための方法であって、一以上のコンピュータデバイスにより実行される方法であり、
消費商品の商品コードと、当該の商品推奨を示すか当該の商品推奨が導出されるデータとを、前記コンピュータデバイスの少なくとも一つのメモリに記憶することと、
前記ユーザにより装着される一以上の慣性センサから動作データを取得することと、
前記動作データを使用することにより前記ユーザの行動を監視して、前記ユーザが着座位置または他の不活発状態にある期間を特定することと、
前記ユーザの行動に基づいて、前記当該の商品推奨が調整される商品コードを前記商品コードの少なくとも部分集合から選択することと、
視覚的指示器を制御し、選択された前記商品コードの数に応じて視覚的指示を提供することと、
を包含する方法。
【請求項４２】
選択される前記商品コードが、前記当該の商品推奨が調整に値する前記商品コードの部分集合から選択され、関連商品についての栄養情報に基づいて前記部分集合を選択することをさらに包含する、請求項４１に記載の方法。
【請求項４３】
各商品についての当該の栄養情報に基づいて前記商品を順位付けすることをさらに包含し、前記商品コードの選択が、所定の順位より高い順位を有する商品を選択することを包含する、請求項４２に記載の方法。
【発明の詳細な説明】
【技術分野】
【０００１】
本開示は、商品の推奨を提供するための装着用デバイスおよび方法に関する。ユーザの環境および／または不活発行動などの生活様式により引き起こされる負の影響についてユーザに警告するための監視システムと装着用デバイスと方法にも関する。特に、しかし排他的にではなく、本発明は、商品内容と消費者個人の生物学的情報とに基づいて推奨を提供することに関する。
【背景技術】
【０００２】
半導体ナノテクノロジーおよび光学技術は、とりわけハードウェア小型化を促進することにより人々の生活様式に大きく寄与してきた。配列決定および遺伝子型決定産業への適用はいわゆる「ラボオンチップ」システムを可能にしてきた。対象となる生物学的問題／遺伝子に応じて、プライマ／プローブ―より一般的には「バイオマーカ」と呼ばれる―が適宜設計される。バイオマーカはＤＮＡ分子などのオリゴヌクレオチドであって、ある種の遺伝子／変種を標的としうる。バイオマーカは代替的に、例えば抗体または抗原でありうる。このようなシステムに異なるタイプのバイオマーカを適用／選択することにより、顧客は、ある種の生活様式の心配または関心によりおそらくは指定されうる固有の形質について（唾液、血液、尿、組織、大便、毛髪等から第三者により局所的または遠隔的に抽出された）自身の生物学的サンプル、ＤＮＡ、ＲＮＡ、タンパク質等を検査できる。
【０００３】
このような「個人的な」遺伝子または生物学的情報は、例えば特定の患者に効く可能性の高い処置または薬剤投与量を選択することにより、医療上の決定がより効果的に行われることを可能にする。分子レベルでの個人差を特定すると、生活様式および飲食物のアドバイスが個人または特定分類の個人の必要性に従って加減されうる。例えば、化粧品および栄養補助食品などのパーソナルケア商品は、ある種の一塩基多型をそのＤＮＡに有する個人についてこれらの商品がどれほど効果的かに基づいて選択されうる。発展中の消費者遺伝子市場の要求に応じるために数社の民間企業が生まれており、毎日、新たな遺伝形質が記述され、多くの人々の健康、健全性、そして遺伝子変異のケースでは表現型についての知見を供与する潜在性を持つバイオマーカの一覧は拡張し続けている。
【０００４】
個人用活動モニタは、ユーザの身体活動を記録する便利な手法をユーザに提供する。特に、多くのいわゆる「フィットネストラッカ」は、ユーザがウォーキングやランニングを行った距離、または消費した総エネルギー等々の推定をユーザに提供する。この種のデータは、自身の生活様式に関してより多くの情報による決定をユーザが行うことを可能にする。幾つかのケースにおいて、フィットネストラッカは、適度または激しい身体活動を最近行っていないことをユーザに気付かせうる。このようなフィットネストラッカは、より多くの身体活動を行う動機を与えることにより個人が自身の健康を向上させるのに役立つが、ユーザが消費する食品および飲料など他の要因も個人の健全性を判断するのに重要な役割を果たす。
【０００５】
特許文献１は、遺伝子データなど、ユーザの生物学的情報に基づいて商品推奨を提供するための装着用デバイスを記載している。装着用デバイスは、デバイスの装着者が購入または消費に関心を持つ商品を特定するのに使用するレーザスキャナまたはバーコードリーダを取り入れている。そしてデバイスは、装着者の生物学的情報に基づいて装着者にとって商品が推奨されるかどうかの指示を提供する。例えば、ユーザのＤＮＡの分析により、ユーザが他の大部分の人々よりもカフェインの代謝が遅いことが明らかになり、そのケースではコーヒーを避けることを装着用デバイスが推奨しうる。
【０００６】
ユーザに健康効果を提供する際の、ユーザの生物学的（遺伝子）および／または生理学的情報に基づく商品推奨の有効性は、ユーザの行動に応じて変化しうる。それゆえ、ユーザの健康を向上させるために商品推奨の有効性を高める必要がある。
【先行技術文献】
【特許文献】
【０００７】
【特許文献１】国際公開第２０１７／０５５８６７号
【発明の概要】
【課題を解決するための手段】
【０００８】
本発明の態様は独立請求項に提示される。他の態様および好適な特徴は従属請求項に提示される。
【０００９】
「消費（ｃｏｎｓｕｍａｂｌｅ）」の語は本書において、経口で消費される商品、例えば、食品、飲料、サプリメント、薬剤等を特定するのに主として使用されるが、皮膚を通して消費される商品も内含する。「外用（ｔｏｐｉｃａｌｌｙ）」の語は、身体の外面に、例えば皮膚または毛髪に塗布されることを意味するのに使用される。外用塗布（または塗布可能）商品の例は、化粧品、クリーム、パウダー、または流体を含む。
【００１０】
やはり本明細書に記載されるのは、消費または外用塗布（つまり外用「塗布可能」）商品についての推奨をユーザに提供するためのコンピュータ利用システムであり、システムの少なくとも一部は身体装着部である。システムは、
商品コードと、ユーザにより提供された生物学的サンプルの分析から取得される個人別生物学的情報から導出されるデータとを記憶するためのデータストアと、
商品または商品パッケージから商品コードを読み取るかあるいは取得するための読取器と、
読取あるいは取得された商品コードと、個人別生物学的情報から導出されたデータを少なくとも含むデータストアに記憶されたデータとを使用して、商品についての商品推奨を取得するためのプロセッサと、
商品推奨の指示をユーザに提供するためのユーザインタフェースと、
ユーザの一以上の生理学的およびまたは生化学的機能を示すか、ユーザ環境を示すデータを取得するための一以上のセンサであって、取得されたデータに応じて商品推奨のうち一以上を調整するようにプロセッサが構成され、調整された指示がユーザインタフェースを介してユーザに提供される、一以上のセンサと、
を包含する。
【００１１】
少なくとも読取器と一以上のセンサとは身体装着部に設けられるか、システム全体が身体装着部でありうる。身体装着部は、リストバンドを含む手首装着部でありうる。一以上のセンサは加速度計を包含しうる。
【００１２】
プロセッサは、加速度計により提供されるデータから、ユーザ活動を示す値、例えば歩数（ｓｔｅｐ）カウントを判断するように構成され、商品推奨の一以上の調整はその活動値に依存する。商品のカロリー含有量を考慮して商品推奨に調整が適用されうる。一以上のセンサは、ジャイロスコープ、心拍数モニタ、任意でマイクロニードルを包含する体液または化学センサのうち一以上を包含しうる。
【００１３】
個人の生物学的情報は個人の遺伝子情報でありうる。
【００１４】
プロセッサは、ユーザの一以上の生理学的およびまたは生化学的機能を示すデータについての、例えば既定の先行時間を内含する履歴記録をデータストアに記憶するとともに、ユーザの一以上の生理学的およびまたは生化学的機能の履歴を考慮する調整となるようにこの記録を使用して商品推奨の一以上を調整するように構成されうる。
【００１５】
データストアは、例えば、炭水化物およびまたは糖分についての商品含有量を含む商品含有量に関する情報を記憶するように構成されうる。
【００１６】
商品推奨は、第１推奨状態と第２非推奨状態とを有し、調整は第１および第２状態の間で商品推奨を変化させる。商品推奨は、第１「推奨」状態と第２「非推奨」状態と第３「準推奨」状態とを有し、調整は第１および第３状態の間で商品推奨を変化させる。
【００１７】
ユーザインタフェースは、異なる色の点灯、例えば赤と緑または赤と緑と黄によって前記商品推奨の前記指示を提供するように構成されうる。
【００１８】
コンピュータ利用システムは、ユーザから調整値を受理するための別のユーザインタフェースを包含してもよく、プロセッサは、調整値に応じて商品推奨の一以上の調整を増減するように構成される。
【００１９】
読取器はバーコードスキャナでありうる。
【００２０】
消費可能または外用塗布可能な商品についてユーザに推奨を提供するための身体装着コンピュータ利用システムについても記載される。このシステムは、
商品コードと、ユーザにより提供された生物学的サンプルの分析から取得される個人別生物学的情報から導出されるデータとを記憶するためのデータストアと、
商品または商品パッケージから商品コードを読取あるいは取得するための読取器と、
読取あるいは取得された商品コードと、個人別生物学的情報から導出されたデータを少なくとも含むデータストアに記憶されたデータとを使用して、商品についての商品推奨を取得するためのプロセッサと、
商品推奨の指示をユーザに提供するためのユーザインタフェースと、
ユーザの一以上の生理学的およびまたは生化学的機能を示すか、ユーザ環境を示すデータを取得するための一以上のセンサであって、取得されたデータに応じて商品推奨の一以上を調整するようにプロセッサが構成され、調整された指示がユーザインタフェースを介してユーザに提供される、一以上のセンサと、
を包含する。
【００２１】
身体装着コンピュータ利用システムはリストバンドを包含しうる。
【００２２】
消費可能または外用塗布（つまり外用塗布可能な）商品についてユーザに推奨を提供するためのコンピュータ利用方法も記載される。この方法は、
商品コードと、ユーザにより提供された生物学的サンプルの分析から取得される個人別生物学的情報から導出されるデータとをデータストアに記憶することと、
商品または商品パッケージから商品コードを読取あるいは取得することと、
読取あるいは取得された商品コードと、個人別生物学的情報から導出されたデータを少なくとも含むデータストアに記憶されたデータとを使用して、商品についての商品推奨を取得することと、
ユーザインタフェースを介して商品推奨の指示をユーザに提供することと、
ユーザの一以上の生理学的およびまたは生化学的機能を示すか、ユーザ環境を示す一以上のセンサデータを取得することと、
取得されたデータに応じて商品推奨の一以上を調整することにより、調整された指示がユーザインタフェースを介してユーザに提供されることと、
を包含する。
【００２３】
上に言及した一以上のセンサはユーザの一以上の生理学的機能を測定するためのものであるが、代替的に、あるいは加えて、システムまたはデバイスは、ユーザの位置、または汚染レベル（例えばＮＯｘや微粒子）もしくは紫外（ＵＶ）線レベルなど、ユーザが暴露される一以上の環境要因を判断するための一以上のセンサを包含しうる。
【００２４】
やはり本明細書に記載されるのは、消費可能または外用塗布可能な商品についてユーザに推奨を提供するためのコンピュータ利用システムであり、商品の少なくとも一部は身体装着部である。システムは、
商品コード読取器と、
ユーザの一以上の生理学的およびまたは生化学的機能を示すか、ユーザ環境を示すデータを取得するための一以上のセンサと、
ユーザ個人の生物学的情報と、センサを使用して取得されたデータとに基づいて、商品コード読取器を使用して特定された商品についての商品推奨を判断するように構成されるプロセッサと、
を包含する。
【００２５】
システムは、センサ出力に基づいて生理学に基づく推奨を調整することにより、ある種の商品の使用を後押しまたは奨励／阻止することが可能である。調整の程度はユーザにより加減できる、つまり生理学に基づく推奨に対するセンサデータの影響を変更しうる。
【００２６】
やはり本明細書に記載されるのは、個人の個人的な生物学的情報に基づいて複数の栄養成分についてのカット値を判断することと、活動など個人の現在または最近の生理学的または生化学的機能に基づいてこれらのカットオフ値を調整または調節することと、調整されたカットオフ値を消費可能または外用塗布可能な商品などの商品に適用して商品推奨を提供することとを包含するコンピュータ利用方法である。
【図面の簡単な説明】
【００２７】
【図１】本発明の実施形態による装着用デバイスの概略斜視図である。
【図２】図１の装着用デバイスのシステム概略図である。
【図３】図１の装着用デバイスにより実施されるデータ処理の流れ図である。
【図４Ａ】図３の活動分類器により実施されるデータ処理の流れ図である。
【図４Ｂ】図３の活動分類器により実施されるデータ処理の流れ図である（図４Ａの続きである）。
【図５】図３の生活様式分類器により実施されるデータ処理の流れ図である。
【図６】図３のペナルティ状態制御器により実施されるデータ処理の流れ図である。
【図７】商品推奨をユーザに提供する方法の流れ図である。
【図８】図１の装着用デバイスにより実施されるデータ処理の流れ図である。
【図９】ユーザの予測カロリー感度とユーザの活動データとに従って商品推奨が調節される流れ図を示す。
【図１０】商品推奨を調整するための閉ループシステムを概略的に図示する。
【図１１】二つのグラフィカルユーザインタフェース要素の概略図である。
【図１２】計算による着座（ｓｉｔｔｉｎｇ）時間と調整のために選択される商品の割合との関係を示すグラフである。
【図１３】ユーザ活動に従って２４時間の経過中に更新されるグラフィカルユーザインタフェース要素を示す表である。
【図１４】図１１のグラフィカルユーザインタフェース要素の一つを取り入れたグラフィカルユーザインタフェースの概略図である。
【図１５】図１１のグラフィカルユーザインタフェース要素の一つを取り入れたグラフィカルユーザインタフェースの概略図である。
【発明を実施するための形態】
【００２８】
肥満、２型糖尿病、そして心血管疾患など、長期の慢性疾患を発現するユーザのリスクまたは可能性を判断するには、ユーザの遺伝子プロファイル（遺伝子）が分析されうる。これらの遺伝的リスクは、調節可能ではない固定変数である。しかしながら、飲食物および身体活動など、慢性疾患を発現させるユーザのリスクを低下させうる幾つかの調節可能な要因がある。
【００２９】
本明細書に記載される実施形態は、先週のユーザのカロリー消費量を示す測定値またはユーザの心拍数データなどユーザの生理学的機能を示す測定値を使用して上に記載の商品推奨を適応化することにより、上に記載した問題に対処しようとする。慢性疾患リスクの一因となる他の（例えば遺伝子以外の）要因を考慮することにより、ユーザは自身の健康に資する可能性の高い商品を選択することが可能である。
【００３０】
例えば、個人の遺伝子と、加速度計などのセンサを使用して測定される身体活動レベルの両方に基づいて、個人別の食品推奨が提供されうる。個人別の食品推奨はまた、化粧品、薬剤、薬品、ビタミン等のような他の商品分類についても取得されうる。
【００３１】
（英国ロンドンのＤｎａＮｕｄｇｅにより提供される）遺伝子検査サービスは、個人の遺伝子に基づいて個人別の食品推奨を個人に提供する。個人は、幾つかの一塩基多型（ＳＮＰ）について評価されるＤＮＡ（またはＲＮＡ）検査を受ける。これらのＳＮＰは、ゲノムワイド関連解析（ＧＷＡＳ）などの科学文献で、幾つかの慢性疾患、例えば肥満および２型糖尿病と関連するものとして特定されている。遺伝子検査の結果は５個の層―超低度リスク、低度リスク、中度リスク、高度リスク、超高度リスク―にカテゴリ分けされる。それから個人の遺伝子結果が６個の栄養素、つまりカロリー、脂肪、飽和脂肪、炭水化物、糖分、塩分と相関される。これらの相関から、一まとまりの栄養カットオフが展開された。これらの栄養カットオフは、個人別食品推奨の基礎を成す。例えば、塩分についての栄養カットオフ値を超えるレベルの塩分を商品が含有している場合には、この商品はユーザに推奨されない。
【００３２】
個人別の「即時」食品推奨は、例えば、（「ＤｎａＢａｎｄ」と呼ばれる）リストバンドデバイスなどの装着用デバイスを使用してユーザに提供されうる。装着用デバイスはまた、装着者の身体活動を監視して、デバイスを装着している間に装着者が行った身体活動の量を反映する一以上の身体活動要因を判断しうる。人の身体活動レベルは、基本的な遺伝子推奨に組み込まれる。例えば、個人別食品推奨を更新するのに身体活動要因が栄養カットオフと組み合わされる。推奨は、飲食物と生体活動の両方の影響による慢性疾患リスクを考慮するので、より一層ユーザに標的を合わせたものである。
【００３３】
身体活動要因の一タイプは、カロリーについての栄養カットオフ値を調整するのに使用される「カロリーカットオフ」である。例えば、ユーザが先週は身体的に比較的非活動状態であったと判断される場合などは、比較的低い「カロリーカットオフ」値が作成されうる。このカロリーカットオフが（遺伝子検査結果から判断された）カロリーの栄養カットオフ値を下回る場合には、商品推奨を作成するのに低いカロリーカットオフ値が使用されうる。例えば、肥満の遺伝的傾向を有していないユーザは、カロリーについて高い栄養カットオフ値を有しうる。しかしながら、ユーザが最近あまり運動を行っていない場合には、この値は適宜低下するので、袋入りポテトチップスなど高カロリー含有量を有する商品は、このユーザに不適当なものとして提示される。
【００３４】
それゆえ装着用デバイスは、個人の身体活動データについてのフィードバックを提供して個人のカロリーカットオフを調節する。身体活動が不充分である場合にはカロリーカットオフは低下し、身体活動が充分になると再び基本に戻る。身体活動と飲食物と遺伝子とのこの組み合わせは、より正確な個人別食品推奨を提供する閉ループフィードバックシステムを形成する。ユーザは、身体活動に基づいて商品推奨が調整される量を変えるように、フィードバックの程度を制御することが可能である。例えば、商品推奨が身体活動により何らかの形で影響を受けることをユーザが欲しないこともあり、そのケースでは調整はゼロに設定される。別のユーザは、この影響が非常に高くなることを望むことがあり、そのケースでは調整は高い値に設定される。ユーザは、バンドに設けられる何らかの手段を使用して、またはスマートフォンなどのコンピュータデバイスとのインタフェースを介して、調整を制御しうる。
【００３５】
身体活動の不足は健康にとって有害であると長く認識されているが、着座の負の影響は概ね重要視されていない。Ｅｋｅｌａｎｄその他。Ｌａｎｃｅｔ（２０１６年、１３０３〜１３１０（３８８））は、着座は健康にとって危機的であると認定し、長時間の着座を埋め合わせるには推奨される毎日の活動の３倍が必要とされることを提示している。しかしながら、推奨される量の活動を毎日行うことはユーザにとって必ずしも可能ではなく、推奨される毎日の活動の３倍はなおさらである。デバイス装着者の着座行動に従って商品推奨を調節するように装着用デバイスを構成すると、長時間の着座を軽減するのに幾らか役立ちうる。加えて、多くのユーザにとって、着座が長過ぎた故にある商品がもう推奨されないという明白かつ可視的な指示は、それ自体が、長時間の着座を回避するとともに身体活動に取り組むための動機として作用しうる。
【００３６】
本明細書に提示されるデバイスおよび方法は、デバイスにより検出される個人の着座行動に応じて調整される商品推奨を提供するのに装着用コンピュータデバイスを使用することにより個人の健康が向上するとの認識から得られたものである。
【００３７】
図１は、ストラップ１０１を包含うる装着用デバイス１００（または「リストバンド」を図示しており、ストラップ１０１は、ユーザが自分の手首上でリストバンド１００を容易にスライドできるように伸縮セクション１０２を有する。他の実施形態では、腕時計に見られるようなリストストラップが、伸縮セクションを備えるストラップの代わりに使用されうる。図１は、リストバンド１００の配向を説明するのに使用される３本の直交軸Ｘ，Ｙ，Ｚも示している。Ｙ軸はリストバンドの軸線に沿った配向、つまり装着者の手首がリストバンド１００を通過する方向を持つ。ＸおよびＺ軸はＹ軸に（そして互いに）垂直であり、Ｚ軸はリストバンド１００の上下に整合されている、つまり伸縮セクション１０２が手首の内側にある状態でリストバンド１００が装着された時に、Ｚ軸は手首の外側から内側を向いている。
【００３８】
リストバンド１００は、太陽電池またはカメラなどの光学センサ１０３と、レーザなどの光源１０４とを包含する。光学センサ１０３が商品コードを読み取るのに使用されて光源１０４が商品コードの照射に使用されうるように、窓部１０５がリストバンド１００に設けられる。商品についてのフィードバックを装着者に与えるため、発光ダイオード（ＬＥＤ）１０６などの指示器（または複数の指示器）も設けられる。装着用デバイス１００の様々なコンポーネント（下記参照）を収容するためストラップ１０１の断面は片側で厚くなっている。
【００３９】
図２は、リストバンド１００のシステム概略図を示す。リストバンド１００は、充電ユニット２０２を使用して充電されうるバッテリ２０１により給電され、３Ｄ空間でのリストバンド１００の動作を測定するための慣性センサと、加速度計２０３（３軸加速度計など）および／またはジャイロスコープ２０４を有する。加速度計２０３および／またはジャイロスコープ２０４の軸線は、図１に示されている３本の直交軸Ｘ，Ｙ，Ｚについて整合されている。
【００４０】
リストバンド１００はまた、心臓モニタ（例えば心電図，ＥＣＧ）などの追加センサおよび電極２０５、またはユーザの心拍数もしくは体温を測定するための温度計、および／または、ユーザの位置を追跡するためのＧＰＳセンサ（または他の測位システム）を包含しうる。センサは、例えば、心拍数を測定するためのマイクロフォンまたは光学センサを含みうる。
【００４１】
リストバンド１００は、メモリ２０７に記憶された命令およびデータにアクセスする処理ユニット２０６により制御される。他のリストバンド、スマートフォン、スマートウォッチ、またはパーソナルコンピュータなど他のコンピュータデバイスと処理ユニット２０６が通信できるように無線通信モジュール２０８が設けられる。無線通信モジュール２０８は、例えば、メモリ２０７に記憶された商品コードおよび／または商品推奨のデータベースを提供または更新するのに使用されうる。無線通信モジュール２０８は、リストバンド１００の間でデータが交換されることを可能にする。
【００４２】
装着者は、光学センサ１０３を使用して商品から商品コード（または他の情報）を読み取るため、光源１０４を起動させて商品に光を向ける。装着者は、読取用に商品を正しく配向するために、片手または両手のいずれかを使用して商品を操作または保持しうる。代替的に、装着者は、（例えば）スーパーマーケットの棚に商品が置かれた状態で商品コードを読み取るためリストバンド１００を移動または配向させてもよい。商品コードを読み取った後に、リストバンドは指示器（ＬＥＤ）１０９を使用して装着者にフィードバックを提供し、指示器１０９は、ＲＧＢ成分の異なる組み合わせを混合すること、および／または、ＬＥＤの輝度および／または点滅パターンを調節することにより異なる色を示すように調節されうるＲＧＢ  ＬＥＤでありうる。言うまでもなく、ＬＣＤ、ＬＥＤ，またはＯＬＥＤ画面などのＬＥＤアレイまたは画面など、他のタイプの指示器も使用されうる。
【００４３】
装着用デバイスに組み込まれうるセンサの例は、
・加速度計（例えば３軸加速度計）および／またはジャイロスコープなどの慣性センサ、
・万歩計（登録商標）／歩数計
・脈拍数センサ、例えば光電脈波（ＲＰＧ）センサ
・呼吸数センサ
・（心拍数可変性も測定するための）心拍数センサ
・血圧センサ
・例えば血中グルコースレベルについての現場血液検査を実施するためのマイクロニードル
・大気質または汚染センサ（例えば質量分析計）
・ＵＶ光モニタ（例えばフォトダイオード）
である。
【００４４】
発光ダイオード（ＬＥＤ）および／または発振器２１０などの指示器２０９は、リストバンド２００を装着しているユーザに視覚的または触覚的なフィードバックを提供するために設けられる。一例において、指示器２０９は「交通信号システム」による商品推奨を提供し、「赤」色はユーザにとって商品が推奨されないものであることを表し、「緑」色は、ユーザにとって商品が推奨されるものであることを表す。ユーザの活動（例えば着座または他の生理学的機能）に基づいて商品推奨が調節されなかったので商品がユーザにとって適当なものとして推奨されたことを示すのに、さらに「黄」色も使用されうる。本明細書での色の言及は限定を意図したものではなく、２値または３レベル（あるいは多数のレベル）の推奨システムを示す他の手法が使用されうることが理解されるべきである。例えば、リストバンド１００は、ユーザについて判断された栄養カットオフ値および／または修正後のカットオフ値とともに、商品の栄養情報を表現するものを表示しうる。
【００４５】
装着用デバイス１００がどのように商品推奨を装着者に提供するかを制御する際の様々なステップが、これから記載される。特に、不活発行動監視または身体活動監視の例示的なケースについて更新済み商品推奨を作成する際の様々なステップが記載される。しかしながら、以下に記載される技術がユーザの一以上の生理学的およびまたは生化学的機能またはユーザ環境に関する他のタイプの監視に適用されうることが認識されるだろう。
【００４６】
不活発行動
図３は、慣性センサ２０３，２０４により収集される動作データ３０１が商品推奨を更新するのにどのように処理されるかを示している。この例で、動作データ３０１は、３軸加速度計２０３により一連の時間ステップ（τ）で測定される３Ｄ空間での装着用デバイス１００の三つの直交方向における加速度成分（ｘ，ｙ，ｚ）を含む。動作データ３０１は、装着用デバイス１００の位置または速度など加速度成分から導出されるデータも含みうる。動作データ３０１は、例えばジャイロスコープ２０４により判断される３Ｄ空間でのデバイスの配向（角速度または角加速度）も含みうる。
【００４７】
動作データ３０１は、一般的には４０Ｈｚのサンプリングレートで活動分類器３０２に提供される。図４Ａおよび４Ｂを参照して以下でより詳しく記載されるように、活動分類器３０２は動作データ３０１を処理して、着座、非活動的、活動的、または不明など、デバイスの装着者についての活動分類を判断する。動作データ３０１の各サンプルが受理される時、またはより一般には動作データ３０１のサンプルの閾値数が受理された後で活動分類が更新されうるので、活動分類はサンプリングレートより低い周波数で更新される。
【００４８】
活動分類器３０２は、一般には１Ｈｚのサンプリングレートで活動分類データ３０３を生活様式分類器３０４に提供する。図５を参照して以下でより詳しく記載されるように、生活様式分類器３０４は活動分類データ３０３を蓄積し、デバイス装着者の行動に従って累積ペナルティ３０５のリストをデータから判断する。ペナルティは、例えば２４時間の期間にわたって蓄積される。
【００４９】
生活様式分類器３０４は、一般的には毎日、ペナルティのリスト３０５をペナルティ状態制御器３０６に提供するが、より短い間隔（例えば毎時）またはより長い間隔（例えば毎週）が使用されてもよい。図６を参照して以下により詳しく記載されるように、ペナルティ状態分類器３０６は、ペナルティのリスト３０５に基づいて装着用デバイス１００のペナルティ状態を判断する。ペナルティ状態は、（幾つかの実施形態では装着用デバイス１００を使用して測定される）装着者についての情報、例えばその年齢、性別、または商品購入履歴など他の要因に基づいてもよい。デバイス１００がペナルティ状態に置かれるべきだとペナルティ状態制御器３０６が判断すると、調節された商品推奨をデバイス１００が提供すべきであることを示すフラグをメモリ２０７に設定する。ペナルティ状態が判断されない場合には、装着者の着座行動により影響されない商品推奨をデバイス１００が提供するようにフラグは未設定でありうる。
【００５０】
図４Ａは、（この図では動作処理ユニット、ＭＰＵと呼ばれる）慣性センサから取得された動作データ３０１が活動分類器３０２によってどのように処理されるかを示している。装着用デバイス１００が作動すると、４０１で活動分類器３０２がＭＰＵからサンプルを受理し始める。サンプルが受理される度に、加速度計２０３により測定された加速度のｘ，ｙ，ｚ成分から加速度の大きさ（例えばユークリッドノルム）が算出される。閾値数のサンプル（このケースでは４０サンプル）が４０３で受理されると、これらのサンプルについて４０４で加速度の分散が算出される。そしてデバイス装着者が比較的静的であるかどうかを判断するために４０５でこの分散が閾値と比較される。閾値を超えた場合には、ゆっくりしたウォーキングについて予測される分散と関連する別の閾値をこの分散が超えるかどうかを判断するように、さらなる比較が行われる。この後者の閾値を超えた場合には、４０７で活動タイプが「高度」として分類される。超えない場合には、活動タイプは「中度」として分類される。
【００５１】
４０５での静的行動の閾値と加速度の分散との比較に戻ると、分散がこの閾値より小さい場合には、デバイス装着者が着座しているかどうかを判断するために４０９でサンプルデータがフィルタリングおよび処理される。フィルタリングは、例えばバンドパスフィルタを使用して、加速度の各ｘ，ｙ，ｚ成分から不要なノイズを除去する。フィルタリング済み加速度成分は、デバイスの装着者が着座しているかどうかを判断するために幾つかの形で使用されうる。例えば、（リストバンドが従来の形で装着されると仮定して）リストバンド装着者の腕を下げた姿勢と、ゆえに起立または着座中に装着者が低レベルの活動を実施しているかどうかとを判断するのに、フィルタリング済み加速度成分への重力加速度の寄与が使用されうる。図の要素４０９に示されている例示的な式では、軸線の一つ（このケースではＸ方向）におけるデバイス１００の加速度が他の２本の軸線の各々での加速度より大きいかどうかを認定するためにフィルタリング済み成分が互いに比較されるが、これは、例えば装着者が歩きながら腕を前後に振るなど起立／非着座中の低レベル活動を実施している装着者と一般に相関するものである。このような比較がどのように実行されるかの詳細は、加速度計２０３の配向に依存する。着座検出精度を向上させるためにジャイロスコープ２０４が加速度計２０３とともに使用されうる。使用されうる他の着座検出方法は、デバイスの装着者により実施される活動のタイプに従って時間の関数としてラベリングされた動作データに基づいて分類器が訓練される機械学習方法を含む。この分析の結果として、動作データのサンプルに含まれる期間の活動タイプが着座４１０と低度４１１のいずれかであると判断される。
【００５２】
活動タイプが判断された後に、３個のカウンタの一つは活動タイプに応じて増分される。活動タイプが「高度」または「中度」である場合には、適度から激しい身体活動（ＭＶＰＡ）のためのカウンタが４１２で増分されるのに対して、活動タイプが「着座」または「低度」である場合には、４１３では着座について、４１４では低度についてのそれぞれのカウンタが増分されうる。活動タイプと関係なく、活動タイプが予測された回数をカウントするために予測指標についてのカウンタが４１５で増分される。予測指標が、閾値、このケースでは６０反復を超えない場合に、活動分類器３０２は、慣性センサ（ＭＰＵ）４０１からさらなるサンプルが受理されるまで待機し、それからプロセスが繰り返される。装着者の行動についての信頼できる予測が得られるように閾値が選ばれる。
【００５３】
図４Ｂは図４Ａの続きであり、予測指標が閾値を超えたことが分かった後に、つまり充分な数の活動タイプ分類が実施された後に活動分類器３０２により実施されるプロセスを示す。ＭＶＰＡカウンタがある値（このケースでは３０カウント）を上回ったかどうかについて４１７で判断が行われ、上回った場合には、動作データ３０１のサンプルと関連する生活様式タイプが４１８で「活動的」として設定される。あるいは、低度カウンタがある値（このケースでは３０）を上回っているかどうかについての判断が４１９で行われ、上回っている場合には、４２０で生活様式タイプが「非活動的」として設定される。あるいは、着座カウンタがある値（このケースでは３０）を上回っているかどうかについて４２１で判断が行われる。上回る場合には、生活様式タイプが「着座」として設定され、または上回らない場合には、生活様式タイプは「不明」として設定される。言い換えると、プロセスの最終段階４１７〜４２３で、関連期間におけるデバイス装着者の主要行動、つまりその時間の半分以上にわたってユーザが活動的であるか着座しているかが判断される。これが行われた後で、カウンタの各々がリセットされ、図４Ａおよび４Ｂのプロセスが繰り返される。
【００５４】
図５は、活動分類器３０２から取得された生活様式タイプを生活様式分類器３０４がどのように処理するかを示している。生活様式分類器３０４は、最初に５０１でゼロに設定される活動（ＡＣ）、不活動（ＩＣ）、または着座（ＳＣ）のカウンタを有する。分類器３０４の初期状態は「非着座」に設定される。５０３で活動分類器３０２から（ここでは「レベル１」と呼ばれる）生活様式タイプを受理すると、生活様式分類器３０４はタイプを判断してそれぞれのカウンタを増分する一方で、５０５，５０６，５０７で他のカウンタをゼロに設定する。例えば、活動カウンタが増分されると、不活動および着座カウンタが５０５でゼロに設定される。活動カウンタまたは不活動カウンタを増分した後に、分類器３０４の状態は「非着座」のままであり、動作データ３０１から判断された次の生活様式タイプについてプロセス５０２〜５０４が繰り返される。着座カウンタが５０７で増分された場合には、着座カウンタが特定の値（このケースでは２カウント）に達したとの判断が５０８で行われる。言い換えると、ステップ５０４から５０８は、デバイス装着者がある期間（２サイクル）にわたって着座していた、つまりＭＶＰＡの期間または低レベルの非着座活動により着座が中断されなかったかどうかを判断する。この基準５０８が満たされなかった場合には、分類器３０２の状態は「非着座」のままであり、プロセスが再び繰り返される。しかしながら、基準５０８が満たされた場合には、活動および不活動カウンタが５０９でゼロに設定され、分類器３０４の状態が「着座」に設定される。
【００５５】
生活様式分類器３０４が５１０で「着座」状態に入ると、活動分類器３０２から生活様式タイプを受理し続ける。生活様式分類器３０４は、「非着座」状態にある時と同じように５１１，５１３で生活様式タイプを処理する。しかしながら、活動５１３および不活動５１４のいずれかのカウンタが増分された（そして他のカウンタがゼロに設定された）後には、活動および不活動カウンタのいずれかがある値（このケースでは２カウンタ）を超えたかどうかについての判断が行われる。言い換えると、分類器３０４は、最後の２回のサイクル中にＭＶＰＡを連続的に、または最後の２回のサイクル中に低レベル非着座活動をデバイス装着者が行ったかどうかを判断する。行った場合には、活動および不活動カウンタが５１６でゼロにリセットされ、分類器３０４の状態が５０２で「非着座」に戻される。行わなかった場合には、着座カウンタが５１７で増分される。
【００５６】
ステップ５１７、５１８のいずれかで着座カウンタが増分された後で、着座カウントが閾値（このケースでは３０カウント）を超えているかどうかの判断が５２０で行われる。超えている場合には、ペナルティがペナルティリストに追加され５２０、着座カウンタは５２１でゼロに設定される。そしてプロセスは５１０から再開し、分類器３０４の状態は「着座」のままである。
【００５７】
図６は、装着用デバイス１００の挙動を制御するのにペナルティ状態制御器３０６がどのようにペナルティリストを使用するかを示す。６０１でデバイス１００が作動するかリセットされると、装着用デバイスが最後に作動状態であった時からある期間（このケースでは２４時間）が経過したかどうかを制御器３０６が判断する。経過した場合には、制御器３０６の状態が「緑」に設定され、ペナルティスコアも６０４でゼロに設定される。「緑」状態では、商品コードを読み取るのにデバイス１００が使用される時に商品推奨が調整されず、むしろ「通常」商品推奨（例えばユーザの遺伝子型に基づく商品推奨）がユーザに指示される。
【００５８】
制御器３０６は、６０５で生活様式分類器３０４から新たなペナルティを受理するまで待機する。ペナルティが受理されると、６０７でペナルティスコアが増分され、いわゆる「不活発」ルールを満たしているかどうかについての判断が６０８で行われる。これらのルールは、ユーザが子供であるか大人であるかなど、ユーザ情報に従って異なりうる。例えば、大人についてのルールは、１６時間に１２以上のペナルティスコアがある場合にはユーザは「不活発」として分類されるという内容であるのに対して、子供についての対応のルールでは６以上のペナルティスコアのみを必要とする。６０９で不活発ルールが満たされない場合には、新しい一日が始まった（または他の何らかの期間が経過した）か否かのチェックが６０９で行われ、そうでない場合には、制御器３０６は６０５でさらなるペナルティポイントが生活様式分類器３０４から受理されるまで待機し続ける。新たな一日が始まった場合には、前のように、６１０で制御部の状態は「緑」のままであって６０４でペナルティスコアがゼロに設定される。
【００５９】
複数の不活発ルール（または単数のルール）を満たさないと、６１１で制御器３０６の状態は「黄」になる。この状態で、デバイス１００により提供される商品推奨が調整される。６１２で制御器３０６は次の日までこの状態のままであり、その後、６０４でペナルティスコアはもう一度ゼロに設定されて状態はまた「緑」（不図示）に設定される。
【００６０】
一例において、商品推奨は三つの異なるタイプ、つまり非推奨、準推奨、推奨でありうる。これらのタイプは、デバイス１００の色変化ＬＥＤ１０６を使用してユーザに指示されうる。例えば、赤（非推奨）、黄（準推奨）、緑（推奨）の交通信号システムが使用されうる。制御器３０６が「緑」状態にある時には、「通常」商品推奨がユーザに提供される。しかしながら、累積したペナルティポイントが多過ぎて制御器３０６が「黄」状態に入った場合には、さもなければ緑色光を使用して指示されたであろう商品推奨の部分集合が黄色光でユーザに指示されうる。例えば、適度な高さのカロリー含有量を持つ食品は通常、特定のユーザに適したものとして推奨される（つまり緑色光で指示される）。しかしながら、ユーザが長い期間にわたって着座していた場合には、商品推奨は「準推奨」に調節（調整）されうる（つまり黄色光で指示される）。
【００６１】
上に記載したように、デバイス装着者の着座行動に基づいて、通常は「準推奨」である（つまり黄色光で指示される）商品の部分集合が「非推奨」になる（つまり赤色光で指示される）ように、制御器３０６が構成されてもよい。しかしながら、「非推奨」である商品は概して、着座行動により影響されない（つまり常に赤色光で指示される）。
【００６２】
上に記載された商品推奨の三つの「状態」の使用は、例として挙げられたに過ぎない。二つの商品推奨状態（「推奨」または「非推奨」）のみを使用すること、または三つ以上の商品推奨状態、例えば推奨スコアを使用することが、言うまでもなく可能であり、推奨スコアは例えば１００点満点であるか、正または負であって、負の値は商品が推奨されないことを示すかその逆である。推奨スコアが使用される際には、装着者により累積されたペナルティポイントの数に基づいてスコアを減少させることにより調整が適用されうる。
【００６３】
着座行動により推奨が調整される商品の部分集合は、幾つかの手法で選ばれうる。概して、調整はすべてのタイプの食品に適用されるわけではなく、それは、そうするとユーザの着座行動に基づいて野菜などの「健康」商品を「準推奨」にしうるからである。部分集合は、各商品と関連する栄養データに基づいて選ばれうる。一例において、「推奨」として分類される商品はそのカロリー含有量に従って順位付けされ、最高カロリー含有量を持つ商品の上位５０％、３０％、または１０％が調整のために選択される。幾つかの実施形態では、調整が適用される商品の数を増加または減少させるために、このように商品を選択するためのカットオフ割合が調節されうる。
【００６４】
概して、商品推奨を取得するのに以下の手順が使用されうる。第一に、例えば２型糖尿病、高血圧症、高肥満指数（ＢＭＩ）、高コレステロールを含めて、潜在的な不健康と関連する幾つかの健康形質が特定される。これらの健康形質のいずれかをユーザが有するかどうかは、遺伝子検査を使用して、つまりユーザのＤＮＡのサンプルでの一塩基多型型（ＳＮＰ）の検出に基づいて判断されうるが、マイクロバイオームの組成を判断するのにためのユーザの呼吸の検査など、他の形式の診断検査も採用されうる。
【００６５】
「標的」健康形質が特定されると、それらの各々に対する飲食物の影響が検討される。これは、以下、例えば、糖分含有量、カロリー含有量、炭水化物含有量、飽和脂肪含有量、総脂肪含有量、塩分含有量のいずれかを含む消費商品の栄養含有量に関する幾つかの異なるカテゴリの各々について健康形質がどのように影響される可能性があるかを分析することにより行われる。例えば、糖分量の高い商品の消費により２型糖尿病のリスクが高くなる一方で、塩分の多い飲食物は高血圧症に関係があることが知られている。各カテゴリと各健康形質との関係は、形質依存係数をカテゴリの各々に割り当てることにより数値化されうる。高血圧症を例にすると、塩分含有量と脂肪含有量に大きな係数が割り当てられるが、カロリー含有量と炭水化物含有量には小さい（もしくはゼロの）係数が割り当てられうる。
【００６６】
特定された各健康形質について、栄養含有量、つまり商品がどれほどのグラム数の塩分、飽和脂肪等を含有するかに基づいて予想される商品の影響を示すスコアを算出するのに形質依存係数が使用されうる。例えば、高血圧症に対する商品の悪影響を示すスコアを算出するために、商品中の塩分のグラム数に塩分含有量についての係数が掛けられる。数学的に述べると、各形質についてのスコアは、形質依存係数のベクトルと各商品についての栄養情報のベクトルとのスカラー積を求めることにより判断されうる。言うまでもなく、健康形質に対する異なるタイプの栄養カテゴリの影響の可能性をモデリングするのに、健康形質について判断された用量反応曲線を使用するなど、より高度化したスコア算出の手法も使用されうる。スコアは、商品のタイプ（例えば砂糖菓子、ビスケット、朝食用シリアル等）と商品の一般的な一人前分量のような他の要因を考慮したものでもありうる。これらの他の要因は、異なる商品がどのように消費されるかの差についてスコアを調節するのに使用され、例えば、一般には「嗜好品」として消費されるものであると商品が特定される場合には、それ以外の場合よりもポジティブな推奨となるようにスコアが減少されうる。
【００６７】
各商品についてスコアが算出された後に、特定の健康形質についてのスコアに従って降順で商品が順位付けされる。それから閾値順位より高い順位を有する商品、例えば健康形質のスコアに基づく商品の上位５０％または３０％または１０％である商品を選択することにより、商品の部分集合が選ばれる。「非推奨」など「負の」推奨がこれらの商品に割り当てられるので、商品のバーコードを読み取るのにリストバンド１００が使用される時に、ＬＥＤ１０４が（例えば）赤になる。残りの商品は、異なるカテゴリ、例えば（緑色でユーザに指示される）「推奨」に割り当てられる。ゆえに、特定の形質についての順位に従って、商品には異なる推奨が割り振られる。推奨を割り振るのに使用される閾値順位付けまたは「カットオフ」の値はユーザごとに変わり、（例えば遺伝子検査により判断されるような）特定の形質にユーザがどれほど影響されやすいかに基づいて判断される。
【００６８】
着座（又は他の形の不活発行動）の潜在的な影響は、制御器３０６のペナルティ状態に応じて関連の商品推奨が調整される商品のさらなる部分集合を選択することにより相殺される。上述した閾値順位を下回るが第２閾値順位を上回る商品を選択することにより、この部分集合が判断されうる。例えば、商品の５０％が特定の形質について「推奨」される場合には、これらの商品の上位２０％が調整される部分集合について選ばれうる。第２閾値順位は、着座および／または他のタイプの不活発行動により特定の健康形質がどれほど強く影響されるかに基づいて選ばれる。特定の商品についての商品推奨が調整されるべきかどうかを容易に判断できるように、商品の部分集合は特定のデータベーステーブルに割り当てられるか、あるいはリストバンド１００のメモリに「フラグ設定」されうる。一例において、制御器３０６が「黄」状態である場合には、部分集合の商品は「準推奨」である（例えば指示器が黄になる）のに対して、制御器３０６が「緑」状態である場合には、「推奨」である（例えば指示器が緑になる）。
【００６９】
各商品についての全体的な商品推奨を判断するために、各健康形質についての商品推奨が組み合わされる。これは、形質のいずれかについて商品が「非推奨」である場合、または代替的に二つ以上の形質について商品が「非推奨」である場合に商品が「非推奨」であると判断するなど、幾つかの手法で行われうる。商品推奨が調整されるべきかどうかを示すフラグが、同一または類似の種類のルールに基づいて各商品について設定または非設定されてもよい。
【００７０】
概して、上述した閾値順位と、全体的な商品推奨を判断するためのルールとは、ユーザに自身が消費したい商品を選択させることと、その健康に対して負の影響を有する可能性が最も高い商品の少なくとも幾つかの消費を断念させることとの間のバランスを保つ。長期的にユーザにとってより良い選択を行なうようにユーザが「後押し」されるので、このバランスは有利である。例えば、特定の日にユーザが長時間着座していた場合に、通常は「推奨」される商品が「準推奨」でしかない（または「任意」として推奨される）ことにユーザが気付くように、着座および／または他の不活発行動に基づく商品推奨の調整により「後押し」を追加する。商品を「非推奨」にしないような調整を使用すると、長距離を移動したのでユーザが長時間着座していた場合など制御から外れる状況についてユーザに厳し過ぎるペナルティを科すことがないので、特に有利でありうる。
【００７１】
図７は、ユーザに商品推奨を提供する方法に関わるステップの概要を提供する。方法のステップは以下の通りである。
【００７２】
ステップ７０１：例えばユーザにより提供された生物学的サンプルに遺伝子検査を実施することにより、２型糖尿病、高血圧症、高肥満指数（ＢＭＩ）、高コレステロールなど、ユーザの一以上の健康形質を判断する。
【００７３】
ステップ７０２：多数の消費商品の各々について、その製品が健康形質の各々にどのように影響するかを示すスコアを算出し、各スコアは商品についての栄養情報に少なくとも部分的に基づく。スコアは、上に記載された手順を使用して、例えば、各商品について、（例えば、商品の製造者により提供される商品栄養情報を使用して）幾つかのカテゴリの各々の栄養含有量を判断し、各カテゴリの栄養含有量に形質依存係数を掛けて、その結果の値を合計して各形質についての総スコアを求めることにより、算出されうる。
【００７４】
ステップ７０３：スコアに基づいて各商品に商品推奨を割り当てる。上に記載したように、これは、健康形質の各々についての当該のスコアに従って商品を順位付けし、各健康形質について順位付けされた商品の部分集合を選択し、各部分集合の商品に推奨を割り当て、そして各健康形質についての推奨を組み合わせて各商品についての全体的商品推奨を得ることにより行われうる。商品推奨は既定された一まとまりの商品推奨から選ばれうる。
【００７５】
ステップ７０４：ユーザが着座位置または他の不活発状態にある期間を特定することにより、ユーザの行動を監視する。
【００７６】
ステップ７０５：ユーザの行動に基づいて、少なくとも商品の部分集合についての商品推奨を調整する。商品推奨は、例えば、既定された一まとまりの商品推奨とは異なる商品推奨を割り当てることにより調整されうる。各健康形質についての商品のスコアに基づいて部分集合が判断され、例えば、特定の形質について「推奨」（つまり「緑」）であった商品のうち、ある割合が「準推奨」（つまり「黄」）を再び割り当てられてもよい。
【００７７】
ステップ７０６：視覚的指示器、例えばリストバンド１００の光源１０４を介して調整済みの商品推奨をユーザに提供する。
【００７８】
身体活動および環境の監視
図８は、一実行例により装着用デバイスの慣性センサ８０１からの信号がどのように処理されるかについてのブロック図を示す。このケースで、センサは３本の直交軸（ｘ，ｙ，ｚ）を中心とする動作と関連する信号データを提供する。これらの信号は（装着用デバイスの他のセンサからの信号とともに）サンプリングされる。適度および高強度の身体活動／運動（例えばウォーキングおよびランニング）に関係する信号コンテンツすべてを捕捉するため、慣性センサからの信号は少なくとも２０Ｈｚ（つまり１０Ｈｚのナイキスト周波数）でサンプリングされる。
【００７９】
そしてサンプリングされた（つまり生の）信号がフィルタリングにより８０２で前処理される。慣性信号について、バンドパス（ＢＰ）フィルタリングパイプラインが０．２５から８Ｈｚの帯域幅で実行されて、適度および高強度の活動に関係する信号のすべての成分が残存することを保証しながら不要なノイズ成分を除去する。通過および阻止帯域の間のスムーズな移行とともに通過帯域での均一な単位利得を提供するので、二次バターワースフィルタが使用される。安定性を保証するようにゼロ極分析を使用してフィルタが設計される。信号が順方向それから逆方向にフィルタリングされるゼロ位相フィルタリング技術を適用することにより、位相反応の非線形効果が除去された。
【００８０】
信号は設定可能な長さのセグメントで、だが一般には１秒から６０秒の範囲の長さ（持続時間）で分析される。前処理された加速度計データの各セグメントまたは「枠」について、平均規模または「エネルギー」が８０３で計算される。これらの平均値は「活動加速度カウント」（ＡＡＣ）と呼ばれうる。例えば、３軸加速度計が使用される場合に、各軸で測定される加速度の（一般的には修正後の）成分が加算され、データが取得された枠内の異なる（離散）時間にわたって、例えばシンプソン法則など数値求積法則を使用して、平均が算出される。代替的に、平均化される総加速度を計算するのに成分のベクトルノルム（つまり２ノルム）が使用されてもよい。
【００８１】
そして各時間枠についてユーザが身体活動をしていたかどうかを判断するのに身体活動（ＰＡ）分類器８０５が使用される。例えば、枠のＡＡＣデータに単純閾の法則を適用することによりこれが行われ、つまり特定の枠についてのＡＡＣ値が指定値を超える場合に、ユーザはその期間に身体活動をしていたと判断される。適当な閾値は、例えば、異なる強度レベルの異なるタイプの身体運動を実施するユーザから取得されるＡＡＣ値を測定することにより、適当な閾値が判断されうる。行われた身体活動の強度またはタイプを判断するのに、例えば、適度または非常に高いレベルの活動の間、またはランニングとサイクリングの間を区別するのに、より高度化した分類器が使用されてもよい。
【００８２】
そして、「非活動的」または「活動的」の二値カテゴリに人を分けるのに、ユーザが身体活動をしていたか否かの分類が使用される。誰かが「非活動的」または活動的と分類されるかどうかの判断は、英国国立医療技術評価機構（ＮＩＣＥ、英国政府機関）により提供されているような身体活動に関するエビデンスベースのガイドラインを身体活動分類値が満たすかどうかである。これらのガイドラインは、様々な年齢グループについて身体活動の予想量を概説するものである。
【００８３】
例えば、１９〜６４歳についてのＮＩＣＥ身体活動ガイドライン（ＰＡＧ）は以下のように推奨している。
・成人は毎日の活動を目標とすべきである。一週間に１回１０分以上の適度な強度の活動が最低１５０分（２  １／２時間）となるまで活動を積み重ねるべきである―これを実現する方法の一つは週に少なくとも５日、３０分間の活動をすることである。
・代替的に、激しい強度の活動、または適度と激しい強度の活動の組み合わせを、週全体で７５分間行うと、相応の効果が得られる。
・成人は少なくとも週に２日は筋肉強度を高める身体活動も行うべきである。
・全ての成人は、長時間にわたって不活発（着座）状態で過ごす時間量を最小にすべきである。
【００８４】
ＮＩＣＥガイドラインの一実行例では、個人が適度な強度の身体活動を１週間につき１５０分未満、または激しい強度または適度と激しい強度の組み合わせの身体活動を１週間につき７５分未満しか行わない場合には、その個人は「非活動的」である。個人がこの要件を満たす場合には、ガイドラインに基づいて「活動的」と見なされる。
【００８５】
身体活動ガイドラインは週ごとのガイドラインに基づく。それゆえ、閉ループフィードバックシステムは動的であり、ユーザが「活動的」または「非活動的」（またはその逆）になったかどうかに基づいて個人別食品推奨が変化する。活動データの移動平均を算出することにより、例えば過去一週間にわたってユーザが活動的であったか否かのカテゴリ化を実施することにより、ユーザ活動の平均レベルの変化が考慮される。言うまでもなく、一日または約一か月など、他の平均化の時間が使用されてもよい。
【００８６】
そして結果的に得られたカテゴリ（つまりこの例では、非活動的の活動的）が、帯域メモリにロードされた商品についての推奨更新（例えば緑から黄）を判断するのに、このカテゴリと他の情報（ＤＮＡおよび／または栄養情報）を使用する決定段階８０５へ送られる。代替的に、「修正」値がデバイスに（または遠隔的に）記憶され、ユーザが商品をスキャンした後に推奨を更新するように「動作中に」適用されてもよい。
【００８７】
上記のように、カロリー含有量に基づいて商品が推奨されるか否かを判断するのに使用されるカロリーカットオフ値を調節するのに、身体活動カテゴリが使用されうる。この調節は、個人が「活動的」または「非活動的」にカテゴリ化されたかどうかに依存する。
・活動的―ある人がＰＡＧを満たす場合には個人別食品推奨はそのまま遺伝子のみに基づき、推奨のさらなる調節は行われない。
・非活動的―ある人がＰＡＧを満たさない場合にはカロリーについての栄養カットオフのみが調節される。人のカロリー感度が上昇し、ゆえにカロリーカットオフ、ひいてはカロリー許容量を減少させる。
【００８８】
エネルギーバランスは、体重管理に関する主要な要因の一つである。エネルギーはカロリーとキロジュールのいずれかで測定され、食品のタンパク質と脂肪と炭水化物の総量から導出される。長期間体重管理の鍵は、個人が消費するカロリー数（入力）と利用されるカロリー数（出力）との正しいバランスを保証することである。
【００８９】
体重管理の三つのシナリオは、エネルギーバランスのレベルに従って特定されうる。（ｉ）カロリー摂取量が総エネルギー消費量より大きい場合には、体重増加が発生する。（ｉｉ）カロリー摂取量が総エネルギー消費量と等しい場合には、一定体重が維持される。（ｉｉｉ）カロリー摂取量が総エネルギー消費量より低い場合には、体重減少が発生する。それゆえ、（正味カロリー摂取量の結果としての）体重増加の状態を防止するには、個人のカロリー摂取量が調節される必要がある、つまり基本値より減少されるか基本値まで増加される。
【００９０】
このカロリーカットオフの調節は、概して、幾つかの商品を「緑」推奨から「黄」推奨に変える。このケースで、黄色は、不十分な身体活動のために食品が推奨されず、身体活動が充分であったならばその商品が緑の推奨であったことを指示する。しかしながら、野菜など、人々に推奨される健康的な食品の数を減らさないことが重要である。それゆえ、カロリーカットオフ調節は、ポテトチップス、チョコレート、甘い菓子のようにユーザにとって「任意」として分類される食品など、ある食品グループにのみ適用可能である。
【００９１】
遺伝子により判断されるユーザの感度または傾向と測定データとの異なる組み合わせに従って商品推奨が調節される様々なシナリオが、これから記載される。
【００９２】
図９は、ユーザの予測カロリー感度とユーザの活動データとに従って商品推奨を調節するプロセスを図示している。プロセスは以下のステップを包含する。
Ａ；商品：カロリー含有量
Ｂ：ＤＮＡ結果：カロリー感度結果（全ユーザ）
Ｃ：リアルタイム測定：活動：基本値と比較した所与の時間内の歩数／距離
Ｄ：調節される推奨：高カロリー商品は推奨されない
Ｅ：ポップアップ表示：多くのユーザが活動的になるように奨励
【００９３】
以下の例は、ステップＡ〜Ｅが各例について用意されるステップと置き換えられることを除いて、図９を参照して記載される例と類似している。
【００９４】
一例において、ユーザの予測カフェイン代謝速度と時刻に従って商品推奨が調節される。カフェインは、カフェイン「低」代謝群に対して長い永続的な影響を有する。コーヒーまたはエネルギードリンクなど特定のカフェイン含有商品が推奨されるかどうかを調節するのに、時刻および／またはユーザの心拍数の連続的なリアルタイム測定が使用されうる。
Ａ：商品：コーヒー、茶、スポーツドリンク、プロテインシェーク、炭酸飲料（コーク）
Ｂ；ＤＮＡ結果：カフェイン低代謝群ＳＮＰ  ｒｓ７６２５５１
Ｃ：リアルタイム測定：時刻
Ｄ：調節される推奨：商品は推奨されない
Ｅ：ポップアップ表示：ＤＮＡ結果についてユーザに通知
【００９５】
別の例では、高血圧症についてのユーザの予測罹患性とユーザの心拍数データとに従って商品推奨が調節される。安静時心拍数の高いユーザについては、脂肪分の多い魚やナッツなどの消費を奨励するようにカテゴリ内のオリジナルの（つまり「健康的な」）脂肪推奨が調節されうる。同様に、塩分の栄養カットオフ値が減少する、および／または、オメガ３，６，２４などのサプリメントが推奨されうる。心拍数に基づくカットオフ値は時間とともにさらに調節されうる。
Ａ：商品：総脂肪―しかし商品カテゴリが重要、商品の塩分および飽和脂肪含有量
Ｂ：ＤＮＡ結果：高血圧症ＳＮＰ
Ｃ：リアルタイム測定：心拍数
Ｄ：調節される推奨：カテゴリに依存―健康的な脂肪を奨励し、飽和脂肪含有量を低下させる
Ｅ：ポップアップ表示：心臓の健康のために飽和脂肪／塩分を回避するようにユーザに通知して、心臓健康商品のスキャン時にユーザを奨励する
【００９６】
別の例では、ユーザの発汗量の測定に従って商品推奨が調節される。ビタミン推奨は発汗レベルに応じて調節されうる。
Ａ：商品：等張液、プロテインシェークなどのスポーツサプリメント
Ｂ：ＤＮＡ結果：全ユーザ
Ｃ：リアルタイム測定：発汗量
Ｄ：調節される推奨：等張液／プロテインサプリメントの推奨を奨励する
Ｅ：ポップアップ表示：必要に応じてサプリメントを奨励する
【００９７】
さらなる例では、予測されるユーザの太陽過敏症と、ユーザのＵＶ光暴露の測定とに従って、商品推奨が調節される。ユーザがＵＶにどれほど暴露されているかを確認するために、ユーザ一を追跡してＵＶ参照マップを使用することにより、暴露レベルが判断されうる。このアプローチは、ユーザが暴露された汚染のレベルを判断するのにも使用されうる。例えば装着用デバイスのフォトダイオードを一体化することにより、ＵＶセンサも、または代替的に、使用されうる。この情報は、ＳＰＦ推奨を変化させるのに、例えば高保護サンクリームが低ＳＰＦのサンクリームよりも推奨されるように、使用されうる。
Ａ：商品：ＳＰＦ（日焼け防止指数）を含む／含まない
Ｂ：ＤＮＡ結果：太陽過敏症に関係する遺伝子の例  ＮＴＭ  ＡＡ，ＴＹＲ  ＧＧ，ＡＳＩＰ  ＴＣ，ＬＯＣ１０５３７  ＣＣ
Ｃ：リアルタイム測定：ＬＥＤ，ＵＶ／ＶＩＳ分光法
Ｄ：調節される推奨：ＳＰＦカットオフを変化させる
Ｅ：ポップアップ表示：ユーザのＵＶ暴露が高い場合には警告する
【００９８】
別の例として、予測によるユーザのビタミンＥ生成能力と、ＵＶ光へのユーザの暴露の測定とに従って、商品推奨が調節される。ＵＶ光（そして太陽暴露）は皮膚のビタミンＥレベルを低下させる。ビタミンＥは紫外（ＵＶ）光からエネルギーを吸収しうる。ビタミンＥ促進成分を優先するようにユーザの商品推奨を変化させるのに、（位置ベースの）ＵＶマップまたは固有のＵＶ測定が使用されうる。
Ａ：商品：ビタミンＥを含む／含まない
Ｂ：ＤＮＡ結果：ビタミンＥ  ＳＮＰ
Ｃ：リアルタイム測定：ＬＥＤ，ＵＶ／ＶＩＳ分光法
Ｄ：調節される推奨：ビタミンＥカットオフを変化させる
Ｅ：ポップアップ表示：ユーザのＵＶ暴露が高くなった場合に警告する
【００９９】
また別の例では、ユーザがコラーゲン分解を生じる可能性の予測とユーザの水分補給レベルの測定および／または（セブメータを使用した）皮膚油分レベルおよび／または皮膚ｐＨに従って、商品推奨が調節される。油分含有量および／またはｐＨバランスに基づいて商品が推奨される（または推奨されない）。
Ａ：商品：全スキンケア商品
Ｂ：ＤＮＡ結果：低コラーゲン分解の遺伝子（脱水症状は皺の出現を高める）
Ｃ：リアルタイム測定：例えばコルネオメータにより測定される水分補給レベル
Ｄ：調節される推奨：湿潤剤、閉塞剤、軟化剤を含有する商品の使用を奨励する
Ｅ：ポップアップ表示：最適な皮膚健康状態のために水分補給状態を維持するようにユーザを奨励する
【０１００】
さらなる例では、汚染によりユーザが悪影響を受ける可能性の予測と汚染へのユーザの暴露の測定とに従って、商品推奨が調節される。その理論的根拠は、汚染が皮膚ダメージを引き起こすことである。ＮＱ０１遺伝子は、環境有害物質に対する人の耐性に影響を与える。ＰＭ２．５―微粒子物質、細かい固体粒子の空中混合物および液滴の負の影響、特に都市在住の消費者への影響についての認知が高まっている。化粧品ユーザは汚染について心配しており、「汚染防止」は新たな化粧品産業である。環境有害物質に対する耐性を有すると予想されるが非常に高いレベルの汚染にさらされたユーザにこれらのタイプの商品が推奨されると有利である。
Ａ：商品：汚染防止成分を含む／含まないスキンケア商品
Ｂ：ＤＮＡ結果：ＮＱ０１遺伝子（通常／弱い汚染防御能力）
Ｃ：リアルタイム測定：位置検出、位置に基づく汚染マップの参照、または微粒子、例えば微粒子物質（ＰＭ２．５）の検査
Ｄ：調節される推奨：汚染防止の推奨を促進する
Ｅ：ポップアップ表示：ＤＮＡ結果についてユーザに通知する／汚染に暴露されていたことをユーザに伝える
【０１０１】
図１０は、商品推奨を提供する閉ループアプローチを概略的に図示している。個人別遺伝子（または他の生物学的導出）データ１００１がデータベース１００３に記憶される。これは、記載のように、異なる栄養成分、例えば炭水化物、脂肪、塩分等についてのカットオフ値または閾値を作成するのに使用される。これらの値は、装着用デバイス１００７からセンサデータを受理するユニット１０１１により判断される生理学的および／または生化学的（または環境的）機能に基づいて、調整器１００５で上下に調整される。調整されたカットオフ値と商品データとを使用して、装着品１００７は商品推奨１００９を提供する。言うまでもなく、図に描かれているコンポーネント全てが装着品１００７に設けられてもよい。
【０１０２】
行動および／または環境の影響についてのユーザへの警告
不活発行動の結果についてのより効果的なフィードバックを個人に提供することにより、個人は自身の生活様式を向上させる動機または「後押し」が与えられうる。特に、不活発行動のために調節された商品推奨の数についての視覚的指示をユーザに提供すると、不活発行動を埋め合わせるのに（例えば）飲食物を変えるべきであるという事実をユーザに警告するのに役立つ。それゆえユーザは、商品推奨が調節される商品の数を少なくするために、長時間の着座を回避して身体活動に取り組む動機を与えられうる。
【０１０３】
例えば上に記載した方法により、ユーザが着座位置で着座している期間が特定されると、商品推奨がどのように調整されるべきかを判断するように期間／センサデータが分析されうる。例えば、ユーザが（例えば）３０分間着座していた場合に、ユーザは「不活発ポイント」を付与される。概して、ユーザが着座に費やした総時間が着座ポイントの数の判断に使用されるように、着座時間が蓄積される。代替的に、幾つかの実行例では、２分より長い（又は他の何らかの短い期間）の休憩を伴わずにユーザが所定期間より長く着座していた場合にのみ各不活発ポイントがユーザに付与されてもよい。そして商品推奨が調整される商品が不活発ポイントの数から判断されうる。例えば、特定の健康形質または複数の形質に対して予想される商品の悪影響、例えば商品が含有する塩分（または飽和脂肪など）がどれほどのグラム数であるか、そして（例えば）高血圧症に対して予想されるこの塩分量の影響を表すスコアに従って、商品が順位付けされうる。このケースで、各不活発ポイントは、調整または「格下げ」される商品推奨を有する順位付け商品を１０％追加することに相当しうる。
【０１０４】
不活発行動の別のタイプの測定基準は、ユーザが不活発であった時間量に基づいて増加するが、ユーザによる身体活動の実施を受けて減少する「計算による着座時間」（ＣＳＴ）と呼ばれる。例えば、この測定基準の一形態は数学的に次のように表現されうる。
ＣＳＴ＝（ＴＢＬＯＣＫの総数−総歩数／ＲＳＴＥＰ）／ｍａｘ（ＴＢＬＯＣＫ）
【０１０５】
この方程式において、ＴＢＬＯＣＫは不活発ポイントの数、つまり何らかの閾値を超える持続時間にわたってユーザが不活発である（例えば着座している）時間の量を指す。この例で、ユーザにより行われる身体活動の量は、不活発ポイント（ＴＢＬＯＣＫ）を相殺するのに必要な歩数（例えば１０００歩）を規定する定数係数ＲＳＴＥＰでユーザが歩いた歩数を割ることにより数値化される。ＣＳＴは一時間ごとに算出されうる。この特定の例において、最大ＣＳＴが１時間当たり１であることを保証するように係数「ｍａｘ（ＴＢＬＯＣＫ）」が使用され、例えば、ＴＢＬＯＣＫが半時間の間隔で算出される時にｍａｘ（ＴＢＬＯＣＫ）は２である。幾つかの実行例で、ＴＢＬＯＣＫの値はユーザにより設定されうる。
【０１０６】
上に記載されたセンサデータの処理は装着用デバイス１００により行われうる。代替的または付加的に、装着用デバイス１００のセンサにより発生されるセンサデータの幾つかまたは全てが、処理のためにパーソナルコンピュータデバイス（スマートフォンなど）へ送信され、例えば、装着用デバイス１００により提供されるセンサデータから、ユーザが着座している時をパーソナルコンピュータデバイスが判断してもよい。
【０１０７】
図１１は、商品推奨の様々なカテゴリに従って特定ユーザについての商品推奨がどのように配分されるかについての概観を提供するグラフィカルユーザインタフェース（ＧＵＩ）要素１１０１を含むグラフィカルユーザインタフェース（ＧＵＩ）の一部の例を示す。概して、商品推奨はユーザの遺伝子型に基づいて様々なカテゴリに割り当てられ、このケースでグラフィカルユーザインタフェース要素１１０１は「ＤＮＡグラフ」または「ＤＮＡ商品グラフ」と呼ばれうる。ユーザインタフェース要素１１０１は、例えば、装着用デバイス１００により、および／または、（スマートフォンなど）パーソナルコンピューティングデバイスにより表示されうる。
【０１０８】
この例では（そして上に記載されたように）、商品推奨は三つの異なるタイプ、「非推奨」、「準推奨」、「推奨」でありうる。ユーザインタフェース要素１１０１は二つの「グラフ」またはセクションに分割され、各セクションは商品推奨のカテゴリの一つに対応する。第１セクション１１０２は、「推奨」される商品の数に比例する長さを有する。第２セクション１１０４は「非推奨」である商品の数に比例する長さを有する。概して、第１および第２セクション１１０２，１１０４の相対的な長さは特定のユーザについて固定される、つまり不活発に依存する商品の部分集合と、常に「推奨」または「非推奨」である商品の比率とがユーザの行動に従って変化しない。それゆえＧＵＩ要素１１０１は、異なる商品推奨カテゴリに関して個々の基準または「開始点」を特定する手法を各ユーザに提供する。
【０１０９】
商品の別の部分集合は「不活発依存商品」（ＳＤＰ）と呼ばれうる。ＳＤＰの商品推奨はユーザの不活発行動に応じて調整される。さらなるＧＵＩ要素３０５は、どれほど多くのＳＤＰが調整されたかを監視する際にユーザを補助するのに使用される。ＧＵＩ要素１１０５は、ユーザの着座または不活発行動に従って更新され、それゆえ「健康グラフ」と名付けられると好都合であるか、「ＤＮＡグラフ」とともに使用されるので、「ＤＮＡ健康グラフ」または「緑色ＤＮＡグラフ」と名付けられてもよい。これらの名称は、遺伝子構成（ＤＮＡ）により付与される利点の幾つかを生活様式がどのように逆転または「低下」させるかをユーザが認識するのにもＧＵＩ要素３０５が役立つことを強調するように機能する。例えば、遺伝的傾向としては肥満のリスクを抱えていないが、概ね非活動的な生活様式を有するユーザは、このような遺伝的傾向を有しているユーザについてより特徴的である商品推奨を提示されうる。ＤＮＡ健康グラフは、生活様式がＤＮＡの「最大利用」をどのように妨げるかをユーザが理解して通知を受けるための便利で効果的な手法を提供する。
【０１１０】
幾つかの実行例において、ＧＵＩ要素１１０５は、例えば第１および第２セクション１１０２，１１０４の間でグラフィカルユーザ要素１１０１に組み込まれうる。ＤＮＡ商品グラフ１１０１は、新たな商品がデータベースに追加されるか、ユーザにより提供される新たな生物学的データに基づいて商品推奨が再計算される時など、更新が比較的稀である。対照的に、ユーザの不活発行動により関連の推奨が影響された商品の比率についての動的な指示を提供するため、ＤＮＡ健康グラフ１１０５は一般に一日の経過中に多数回更新される。
【０１１１】
ＧＵＩ要素１１０５は、ユーザの行動に基づいて現在「推奨」される不活発依存商品の数に比例する長さを持つ第１サブセクションまたは「グラフ」１１０３Ａと、ユーザの行動に基づいて現在のみ「準推奨」される不活発依存商品の数に比例する長さを持つ第２サブセクションまたは「グラフ」１１０３Ｂとに分割される。第１グラフ１１０３Ａの視覚的なスタイル（例えば色または陰影）は、第１セクション１１０２に合うように選ばれる（同じ商品推奨カテゴリの商品を表すことを示す）一方で、第２グラフは異なる視覚的スタイルを有する（異なる商品推奨カテゴリの商品を表すことを示す）。第１セクション１１０２と第１グラフ１１０３Ａの両方が緑であるのに対して、第２グラフ１１０３Ｂは例えば黄でありうる。
【０１１２】
第１および第２グラフ１１０３Ａ，１１０３Ｂの相対的な長さは、ユーザの着座または不活発行動に従って商品推奨が調整されたＳＤＰの相対比率を示す。例えば、ユーザがより多くの「不活発ポイント」を蓄積すると、ＳＤＰについてのより多くの商品推奨が「推奨」（または「緑」）から「準推奨」（または「黄」）に調整され、こうして第２グラフ１１０３Ｂに占められるグラフィカルユーザインタフェース要素１１０５の比率が増加する。第２グラフ１１０３Ｂの最小および最大長さはそれぞれ、ＧＵＩ要素１１０５の全長の０％および１００％である。概して、第２グラフ１１０３Ｂの長さが更新される時に、グラフィカルユーザインタフェース要素の全長は一定のままである、つまり第２グラフ１１０３Ｂの長さが増加（または減少）すると第１グラフ１１０３Ａの長さは同じ量だけ減少（または増加）する。
【０１１３】
幾つかのケースで、第２グラフ１１０３Ｂの長さは既定の時刻、例えば真夜中に０％にリセットされる。これが起こった後で、ユーザが不活発ポイントを蓄積する（つまりそのＣＳＴが増加する）と、第２グラフ１１０３Ｂの長さは増加するが、ユーザが身体活動を行うことにより減少はしない。しかしながら、ユーザは、後に獲得した不活発ポイントを相殺するのに使用されうる身体活動（例えば歩数）についてのポイントを蓄積しうる。逆に、第２グラフ１１０３Ｂが１００％に達すると、さらなる不活発行動により第２グラフの長さは増加せず、第２グラフ１１０３Ｂの長さを１００％未満にするのに大量の身体活動が必要とされるように不活発ポイントが蓄積し続ける。
【０１１４】
ユーザがＣＳＴについてのリミットまたは目標（ＴＧＯＡＬ）、例えば４，６，８時間を規定できるようにすることにより、ＧＵＩ要素１１０５の機能が拡張されうる。ユーザのＣＳＴがこのリミットに達するまで、ＳＤＰと関連する商品推奨の調整は停止されうる。代替的に、リミットはＳＤＰの閾値比率に関して表現され、例えば、４０％は、蓄積されたＣＳＴに基づく推奨の調整に値する。
【０１１５】
ＤＮＡ健康グラフ１１０５は通常、ユーザのパーソナルコンピューティングデバイス（例えばスマートフォンまたはタブレット）に表示されうるが、適当なディスプレイを有する場合には装着用デバイス１００にも表示されうる。代替的に、装着用デバイス１００は、他の何らかの形の視覚的指示を使用してユーザの不活発行動の影響についてユーザに警告しうる。例えば、視覚的指示器（例えばＬＥＤ）１０４は、関連の商品推奨が調整される商品の比率が或る閾値を超えるかどうかに応じて、異なる色、例えば閾値を超えない時には緑色、超えている時には黄色で点灯してもよい。代替的に、閾値を超えた時のみ視覚的指示器が点灯してもよい。一以上の慣性センサを使用して、手を上げるなど特定の動作または動作をユーザが実施したと検出することにより、視覚的指示器の点灯が起動されうる。
【０１１６】
図１２は、ＣＳＴと、関連の商品推奨が調整されるＳＤＰの比率（ここではＲＡＭＢＥＲと呼ばれる）との間の例示的な関係または「マッピング」を示し、ＣＳＴについてのユーザ規定の目標を考慮している。ゼロのＣＳＴから始めると、ユーザ規定の目標に達するまでＳＤＰの比率はＣＳＴとともに線形的に増加し、それから非線形的になる（他の例ではＳＤＰの比率は０％から１００％まで非線形的に増加しうるが）。この非線形依存性は、ＲＡＭＰＥＲが１００％に達する速度がＣＳＴとともにより急速に増加するように選ばれうる。図４に示されている例では、ユーザ規定の目標を超えた後にＲＡＭＢＥＲはＣＳＴとともに指数関数的に増加する。このタイプの非線形依存性は、ＣＳＴが高い時にはユーザにより重い「ペナルティ」を効果的に科す。マッピングも、ＣＳＴについてのユーザの目標（ＴＧＯＡＬ）が、調整された商品推奨の標的比率（ＲＡＭＢＥＲ）に変換され、これはＧＵＩ要素１１０５を更新するのに使用されて、ユーザが自身のＣＳＴ目標を満たしていないかどうかを示す。例えば、幾つかのケースで、標的比率はＧＵＩ要素１１０５に明示的に、例えば垂直線１１０６を使用して示される。
【０１１７】
図１３は、２４時間の経過中に特定のユーザについてＤＮＡ健康グラフ１１０５がどのように更新されるかの例を示す。ＤＮＡ健康グラフ１１０５は、ユーザにより行われる身体活動の量（例えば歩数）とＣＳＴのいずれかまたは両方についての指示手段を含みうる。図では、テキストラベルが指示手段として使用されているが、言うまでもなくグラフィック指示手段の形が使用されてもよい。
【０１１８】
ＤＮＡ健康グラフは最初０％であり（つまり第２セクション３０３Ｂの長さはゼロであり）、７：００〜８：００の間にユーザは起床して５０００歩、歩く。この時間にユーザがリストバンド１００を使用してＳＤＰをスキャンした場合には、商品推奨は調整されず、例えばリストバンドの指示器は緑になる。次の一時間に、ユーザは列車で移動する間に０．５時間の着座時間（ＳＴ）を、そして（例えば駅から歩くことにより）１０００歩を蓄積する。それゆえ健康グラフ１１０５の第２グラフ３０３Ｂの長さが増加して０．５時間のＣＳＴを表す。しかしながら、ＣＳＴの量は、（健康グラフ１１０５の中心に向かう垂直線３０６により示される）ユーザにより設定された６時間の目標より少ないので、ＳＤＰ商品推奨のいずれもまだ調整されない、つまりＳＤＰ商品がスキャンされた場合にリストバンドはまだ緑を示す。
【０１１９】
９：００と１３：００の間に、ユーザは不活発であって４時間のＣＳＴを蓄積し、第２グラフ３０３Ｂの長さを増加させる。１３：００と１４：００の間には、ユーザがさらに歩くと、ステップの総数（ＲＳＴＥＰ）が１０，０００歩以上まで蓄積されてＣＳＴを低下させ、第２グラフ３０３Ｂのサイズの減少につながる。
【０１２０】
１４：００と１８：００の間に、さらなる不活発行動は、ユーザにより設定された６時間の標的ＴＧＯＡＬよりもＣＳＴを増加させ、結果的にＳＤＰ商品推奨の調整が行われる、つまり現在は「準推奨」に過ぎないＳＤＰをユーザがスキャンした場合に、リストバンド１００の視覚的指示器が黄色で点灯する。これは、自分が選択したリミット内に留まるのに充分なほどの不活発行動の抑制的管理に達していないことをユーザに指示する。
【０１２１】
１８：００と２３：００の間に、ユーザはさらにＣＳＴを蓄積するが、ユーザはさらに１０，０００歩を蓄積していないのでユーザが歩いたさらなる歩数によってＣＳＴは減少されない。しかしながら、この期間にユーザがさらに８，０００歩、歩いた場合には、ＣＳＴはそれに従って減少される。ＣＳＴがＴＧＯＡＬを上回っているので、第２グラフ３０３Ｂの長さはＣＳＴの各追加ユニットでより劇的に増加する。
【０１２２】
ユーザが就寝すると、リストバンド１００は（例えば）ユーザからの活動が全くないと検出してＣＳＴの増加を停止する（これは例えばユーザがリストバンド１００を外した場合にも起こりうる）。ゆえに、２３：００と０：００の間では、ユーザが眠っている時に、健康グラフ１１０５は更新されない。しかしながら、真夜中を過ぎると、翌日のためユーザが自身の不活発行動を監視できるように、健康グラフ１１０５の統計がリセットされる。
【０１２３】
言うまでもなく、グラフィカルユーザインタフェース要素（または「ウィジェット」）には慣習的であるように、グラフィックユーザ要素１１０１，１１０５の全体サイズまたは配向は、ユーザ要素３０１を表現するのに使用されるデバイスまたはユーザインタフェースのディスプレイに適応するように調節されうる。セクション１１０２〜１１０４またはサブセクション１１０３Ａ，１１０３Ｂの相対位置も調節され、例えば図３に示されているように端から端ではなく、互いに隣接してセクションが積み重ねられてもよい。セクション３０２〜３０４および／またはサブセクション１１０３Ａ，１１０３Ｂを互いから視覚的に区別するのに役立つように色、陰影または別の形の視覚的スタイリングが使用されうる。幾つかのケースでは、ユーザインタフェース要素１１０１に使用される配色が、商品コードがスキャンされる時にユーザの商品推奨を装着用デバイス１００に指示するのに使用される配色と一致してもよい。
【０１２４】
概して、商品推奨を取得するのに以下の手順が使用されうる。
【０１２５】
第一に、例えば２型糖尿病、高血圧症、高肥満指数（ＢＭＩ）、高コレステロールを含む、潜在的な不健康と関連する幾つかの健康形質が特定される。これらの健康形質のうちいずれかをユーザが有するかどうかは、例えばユーザのＤＮＡまたはＲＮＡのサンプルでの一塩基多型（ＳＮＰ）の検出に基づく遺伝子検査を使用して判断されうるが、他のタイプの生物分子の検出またはユーザの呼吸の検査を含む他の形の診断検査も、マイクロバイオームの組成を判断するのに採用されうる。
【０１２６】
「標的」健康形質が特定されると、それらの各々に対する飲食物の影響が検討される。これは、以下、例えば、糖分含有量、カロリー含有量、炭水化物含有量、飽和脂肪含有量、総脂肪含有量、塩分含有量のいずれかを含む、消費商品の栄養含有量に関する幾つかの異なるカテゴリの各々について健康形質がどのような影響を受ける可能性があるかを分析することにより行われる。例えば、糖分の高い商品の消費により２型糖尿病のリスクが高くなるのに対して、塩分の多い飲食物は高血圧症と関係があることが知られている。各カテゴリと各健康形質の間の関係は、形質依存の係数をカテゴリの各々に割り当てることにより数値化されうる。高血圧症を例にすると、塩分含有量と脂肪含有量に大きな係数が割り当てられるのに対して、カロリー含有量と炭水化物含有量には小さい（またはむしろゼロの）係数が割り当てられうる。
【０１２７】
特定された各健康形質について、栄養含有量、つまりどれほどのグラム数の塩分、飽和脂肪等を商品が含有するかに基づいて予想される商品の影響を示すスコアを算出するのに形質依存係数が使用されうる。例えば、高血圧症に対する商品の悪影響を示すスコアを算出するには、商品の塩分のグラム数に塩分含有量の係数が掛けられる。数学的に述べると、各形質についてのスコアは、形質依存係数のベクトルと各商品についての栄養情報のベクトルとのスカラー積を求めることにより判断されうる。言うまでもなく、可能性のある異なるタイプの栄養カテゴリの健康形質に対する影響をモデリングするために健康形質について判断される用量反応曲線を使用するなど、より高度化したスコア算出手法も使用されうる。商品のタイプ（例えば砂糖菓子、ビスケット、朝食シリアル等）と、この商品の一般的な一人前分量など、他の要因もスコアに考慮されうる。これらの他の要因は、異なる商品がどのように消費されるかの差についてスコアを調節するのに使用され、例えば、商品が一般的に「嗜好品」として消費されるものとして特定される場合には、そうでない場合よりも推奨がポジティブであるようにスコアが減少されうる。
【０１２８】
各商品についてスコアが算出された後に、特定の健康形質についてのスコアに従って商品が降順で順位付けされる。そして閾値順位より高い順位を有する商品、例えば、健康形質のスコアに基づいて商品の上位５０％または３０％または１０％である商品を選択することにより、商品の部分集合が選ばれる。これらの商品は、「非推奨」など「負の」推奨が割り当てられるので、商品のバーコードを読み取るのにリストバンド１００が使用される時には、指示器（ＬＥＤ）１０６が（例えば）赤になる。残りの商品は、異なるカテゴリ、例えば（ユーザに緑色で指示される）「推奨」に割り当てられる。ゆえに、特定の形質についての順位に従って商品には異なる推奨が割り振られる。推奨を割り振るのに使用される閾値順位または「カットオフ」の値はユーザごとに変化し、（例えば遺伝子検査により判断される）特定の形質にユーザがどれほど影響されやすいかに基づいて判断される。
【０１２９】
各商品についての全体的な商品推奨を判断するために、各健康形質についての商品推奨が組み合わされる。これは、形質のいずれかについて商品が「推奨されない」場合、代替的に二つ以上の形質について商品が「推奨されない」場合に商品は「非推奨」であると判断するなど、幾つかの手法で行われうる。商品推奨が調整されるかどうかを示すフラグも、同一または類似の種類のルールに基づいて各商品について設定されても設定されなくてもよい。例えば、商品推奨が作成される時には、商品コードの各々と「タグ」が関連付けられうる。タグの一つの値（例えば０）は非ＳＤＰを意味するのに使用されるが、ＳＤＰと関連する商品コードを意味するのに他の値が使用されてもよい。幾つかのケースで、閾値より高いタグ値を持つ全ての商品が調整されるように、タグについての「作動閾」値を規定するのにＣＳＴが使用されうる。
【０１３０】
ユーザの着座行動に従って関連の推奨が調整されうる商品の部分集合は、幾つかの手法で選ばれうる。概して、全てのタイプの食品に調整が適用されるわけではなく、それは、こうすることでユーザの着座行動に基づいて野菜などの「健康」商品が「準推奨」となるからである。各商品と関連する栄養データに基づいて部分集合が選ばれうる。一例において、「推奨」として分類される商品は、カロリー含有量に従って順位付けされ、最高のカロリー含有量を持つ商品の上位５０％、３０％、または１０％が潜在的調整のために選択される。幾つかの実施形態において、調整が適用される商品の数を増加または減少させるために、このように商品を選択するためのカットオフ割合がユーザにより調節されうる。
【０１３１】
関連の商品推奨が調整される（上述した部分集合の）商品の数は、図４に関連して上に記したようにＣＳＴから判断される。
【０１３２】
概して、上述した閾値順位付けと、全体的な商品推奨を判断するためのルールとは、消費したい商品をユーザが選択できることと、健康に対する負の影響を有する可能性が最も高い商品の少なくとも幾つかを消費するのを断念させることとの間のバランスを保つ。長期的にユーザにとって好ましい選択を行なうようにユーザが「後押し」されるので、このバランスは有利である。ユーザの着座および／または他の不活発行動に基づいて商品推奨を調整すると、例えば、ユーザが特定の日に長期間着座していた場合に、通常は「推奨」される商品が「準推奨」でしかない（または「任意」であるとして推奨される）ことにユーザが気付くように、「後押し」を追加する。商品を「非推奨」にしない調整を使用すると、例えば、長距離を移動したのでユーザが長時間着座していた場合に、制御から外れる状況についてユーザに厳し過ぎるペナルティを科すことがないので、特に有利でありうる。
【０１３３】
不活発行動の負の影響についてユーザに警告する方法のステップは、以下の通りである。
【０１３４】
ステップ１：消費商品についての商品コードと、当該の商品推奨を示すか当該の商品推奨が導出されるデータとを、コンピュータデバイスのメモリに記憶する。
【０１３５】
ステップ２：ユーザに装着されている一以上の慣性センサから動作データを取得する。
【０１３６】
ステップ３：ユーザが着座位置または他の不活発状態にある期間を特定するのに動作データを使用することにより、ユーザの行動を監視する。
【０１３７】
ステップ４：ユーザの行動に基づいて、当該の商品推奨が調整される商品コードを商品コードの少なくとも部分集合から選択すること。
【０１３８】
ステップ５：視覚的指示器を制御して、選択された商品コードの数に応じた視覚的指示を提供する。
【０１３９】
図１４は、ＤＮＡグラフ１１０１を取り入れた例示的なグラフィカルユーザインタフェース７０１を示す。図１５は、健康グラフ１１０５を取り入れた例示的なグラフィカルユーザインタフェース８０１を示す。これらのＧＵＩの各々が表現されうる。
【０１４０】
例示的なシステムは、（スマートフォン、スマートウォッチ、タブレットコンピュータ、またはデスクトップデバイスなどの）パーソナルコンピューティングデバイスと、装着用デバイス１００とを包含する。パーソナルコンピューティングデバイスは、（例えば有線または無線接続を介して）装着用デバイス１００とデータを交換するための送受信器と、データを記憶するためのメモリと、装着用デバイス１００から受理したデータを処理するためと、ＤＮＡグラフ３０１および／または健康グラフ１１０５を表示するディスプレイを制御するためのプロセッサとを包含する。使用時に、装着用デバイス１００はパーソナルコンピューティングデバイスに動作データを送信し、パーソナルコンピューティングデバイスは、ユーザが着座位置または他の不活発状態にある期間を特定するのに動作データを使用することによりユーザの行動を監視してから、ユーザの行動に基づいて、当該の商品推奨が調整される商品コードを選択する。代替的に、監視および選択が装着用デバイス１００自体により実施されてもよく、そのケースで装着用デバイス１００は、選択された商品コードを示すデータをパーソナルコンピュータデバイスに送信する。プロセッサは、例えば健康グラフ１１０５を更新することにより、選択された商品の数に応じてディスプレイを更新して視覚的指示を提供する。
【０１４１】
メモリは、商品コードと、当該の商品推奨を示すか当該の商品推奨が導出されるデータとを記憶しうる。例えば、商品コードおよび／または商品推奨が更新された後に、商品コードとデータとは装着用デバイス１００へダウンロードされうる。
【０１４２】
上の記載は着座または他の不活発行動に集中していたが、上の態様はまた（あるいは代替的に）ユーザの生活様式の他の側面および／またはユーザの環境に等しく適用されうる。例えば、上に記載したように、装着用デバイスは、幾つかの事例で、ＵＶ光へのユーザの暴露を監視するのに使用されうるＵＶ光センサを包含しうる（言うまでもなく、装着用デバイス１００の一部ではない身体装着センサも使用されうる）。このケースで、ユーザの商品推奨は、ＵＶ光暴露に関するユーザの行動、例えば直射日光下で過ごした時間に従って調節されうる。装着用デバイス１００またはパーソナルコンピューティングデバイスは、ＵＶ光暴露の期間に基づいて調整される商品推奨の数について（例えばＤＮＡ健康グラフ３０５を使用して）視覚的指示を提供するように構成されうる。これは、（例えば高レベルのビタミンＥにつながる商品を推奨することにより）ＵＶ光暴露の潜在的に有害な影響についてユーザが警告を受けることを可能にする。同様に、システムは、大気質または汚染（例えばＮＯｘや微粒子）について身体装着センサを使用して取得されるデータに基づいて、環境組成の潜在的に有害な影響についての（調整された商品推奨の数に関する）フィードバックをユーザに提供するように構成されうる。
【０１４３】
別の例では、（一以上のセンサ、例えば万歩計を使用して取得されるデータに基づいて）ランニングなどの特定の身体活動（または生理学的機能）をユーザが実施する期間および／または強度に従って、商品推奨が調整されうる。例えば、数人のユーザは、低骨密度である可能性があることなどが遺伝子型により特定され、それゆえユーザの骨格系への強衝撃活動の影響を軽減するため、あるタイプの靴が選好されるように商品推奨の幾つかを調整することが適切でありうる。この調整の視覚的指示をユーザに提供すると、低衝撃の活動を行うなど改善動作の必要性についてユーザに警告しうる。
【０１４４】
幾つかの実行例において、調整される商品推奨の数に対する様々に異なるユーザ生活様式およびユーザ環境要因の相対的な寄与をユーザが追跡できるように、多数のＤＮＡ健康グラフ１１０５（または他の形の視覚的指示器）が（例えばユーザインタフェース「パネル」の形で）設けられうる。例えば、ウォーキングにより着座に費やす時間が少ないユーザには、直射日光または汚染地域でウォーキングする場合に調整される商品推奨の数は適度な減少（または上昇）のみが見られる。それゆえ多数の視覚的指示器を使用してこの問題についてユーザに警告すると、ユーザは自身の行動をより適切に調節することができる。
【０１４５】
本発明の範囲を逸脱することなく上に記載の実施形態に様々な修正が加えられうることが当該技術の熟練者には認識されるだろう。例えば、記載された主な実施形態は装着用バンドの形であったが、システムは、何らかの適当な形態、例えば保持カートリッジ、キーリング、ペンダント、またはスマートフォン、あるいはこのような形態の組み合わせとして実行されうる。システムに記憶されるデータは、ユーザにより提供される生物学的サンプルと他のユーザにより提供されるサンプルとの分析から取得される生物学的情報から導出されうることにさらに言及しておく。このユーザ集合は家族でありうる。その際にデータストアは、家族全員についての最良の推奨を提供するのに使用されうる共通データの蓄積を格納する。
【図１】
2022500758.tif 000003
【図２】
2022500758.tif 000004
【図３】
2022500758.tif 000005
【図４Ａ】
2022500758.tif 000006
【図４Ｂ】
2022500758.tif 000007
【図５】
2022500758.tif 000008
【図６】
2022500758.tif 000009
【図７】
2022500758.tif 000010
【図８】
2022500758.tif 000011
【図９】
2022500758.tif 000012
【図１０】
2022500758.tif 000013
【図１１】
2022500758.tif 000014
【図１２】
2022500758.tif 000015
【図１３】
2022500758.tif 000016
【図１４】
2022500758.tif 000017
【図１５】
2022500758.tif 000018
【国際調査報告】
2022500758.tif 000019
2022500758.tif 000020
2022500758.tif 000021